(57)【要約】【課題】比較的容易に製造することができ、かつ経年変化が生じにくく、住宅の雰囲気に調和した、引き違い戸を提供する。【解決手段】この発明にかかる引き違い戸は、閉じた位置においてフラット配置（平面）される複数の戸１０が、開閉時に、平行に往復移動するように形成された引き違い戸において、戸１０は、芯材５０と芯材５０の外表面を覆う表面材５２とを有し、芯材５０は、戸先側先端に段差部及び／又は傾き部が形成され、表面材５２は、可撓性を有する表面シート６０と、前記表面シート６０の裏面側に設けられた表面板材６２とを有し、前記表面材５２は、表面板材６２の斜め対向面を接近させるように表面シート６０が折り曲げられ、表面板材６２が戸先側芯材５４の外表面に貼着され、閉じた位置において隣り合う戸先に、前記閉止位置と引き違い位置との間において前方に移動するための段差部３６が形成されている。【選択図】図３
2008031660.tif 000002
【特許請求の範囲】
【請求項１】
閉じた位置においてフラット配置（平面）される複数の戸が、開閉時に、閉止位置と引き違い位置との間において前方及び／又は後方に移動し、且つ一方が他方の前面において平行に往復移動するように形成された引き違い戸において、
戸は、芯材と芯材の外表面を覆う表面材とを有し、
芯材は、戸先側先端に段差部及び／又は傾き部が形成され、該戸先に続く表側面及び裏側面が略平面に形成された戸先側芯材と、戸の後端側を形成する後端側芯材とを有し、
表面材は、可撓性を有する表面シートと、前記表面シートの裏面側に設けられた表面板材とを有し、
前記表面材は、表面板材の斜め対向面を接近させるように表面シートが折り曲げられ、表面板材が戸先側芯材の外表面に貼着され、
閉じた位置において隣り合う戸先に、前記閉止位置と引き違い位置との間において前方及び／又は後方に移動するための段差部及び／又は傾き部が形成された、引き違い戸。
【請求項２】
前記戸先側芯材は、略平面状表側面に適宜な角度をもって連設された戸先稜角面部と、該戸先稜角面部に続いて、裏側面に到る段差部及び／又は傾き部とを有し、
前記表面板材は、少なくとも、戸先側芯材における、表側面と戸先稜角面部との境界の角部、該戸先稜角面部とそれに続く段差部並びに／又は傾き部との境界の角部及び該段差部並びに／又は傾き部と裏側面との境界の角部の間の長さ、及び戸先側芯材における貼着面に対応した貼着面が形成され、且つ前記境界の角部に対応した角度を有する斜め対向面が形成された、請求項１に記載の引き違い戸。
【請求項３】
表面材は、戸先側芯材と後端側芯材との間に跨って、平面状に架設された、請求項１または請求項２に記載の引き違い戸。
【請求項４】
前記表面板材は、少なくとも、芯材の戸先側先端の段差部並びに／又は傾き部と該戸先側先端に続く表側面との境界の角部及び戸先側先端の段差部並びに／又は傾き部と該戸先側先端に続く裏側面との境界の角部の間の長さ、及び貼着面に対応した貼着面が形成され、且つ前記境界の角部に対応した角度を有する斜め対向面が形成された、請求項１ないし請求項３のいずれかに記載の引き違い戸。
【請求項５】
表面板材は、芯材側の貼着面と表面シート側の面とが平行な平面状に形成され、芯材の前記境界の角部に対応した位置において、芯材の貼着面に対応した貼着面より表面シート側の面に向けて切削されてなる断面Ｖ字型の斜め対向面が形成された、請求項１ないし請求項４のいずれかに記載の引き違い戸。
【請求項６】
引き違い戸は、左右一対で形成され、
閉止位置から引き違い位置に移動させるときに前方に移動する一方の引き違い戸は、戸先側先端と他方の引き違い戸の戸先側先端とが接触しないように形成されるとともに、他方の引き違い戸は、戸先側先端と他方の引き違い戸の戸先側先端とが接触しないように形成された、請求項１ないし請求項５のいずれかに記載の引き違い戸。
【請求項７】
閉じた位置においてフラット配置（平面）される複数の戸が、開閉時に、閉止位置と引き違い位置との間において前方及び／又は後方に移動前方及び／又は後方に移動し且つ一方が他方の前面において平行に往復移動するように形成された引き違い戸の製法において、
戸先側先端に段差部及び／又は傾き部が形成され、該戸先に続く表側面及び裏側面が略平面に形成された戸先側芯材と、戸の後端側を形成する後端側芯材とを有する芯材を形成する、芯材を形成するステップと、
可撓性を有する表面シートの裏面側に、少なくとも、芯材の戸先側先端の段差部並びに／又は傾き部と該戸先側先端に続く表側面との境界の角部、戸先側先端の段差部並びに／又は傾き部と該戸先側先端に続く裏側面との境界の角部の間の長さ、及び貼着面に対応した貼着面が形成され、且つ前記境界の角部に対応した角度を有する斜め対向面が形成された表面板材を形成する、表面材を形成するステップと、
前記表面材は、表面板材の斜め対向面を接近させるように表面シートが折り曲げられ、表面板材を戸先側芯材の外表面に貼着して、前記隣り合う戸先に、前記前方又は後方に移動するための段差部及び／又は傾き部を形成する、戸を形成するステップとを含む、引き違い戸の製法。
【請求項８】
前記戸先側芯材は、略平面状表側面に適宜な角度をもって連設された戸先稜角面部と、該戸先稜角面部に続いて、裏側面に到る段差部及び／又は傾き部とを有し、
前記表面板材は、少なくとも、戸先側芯材における、表側面と戸先稜角面部との境界の角部、該戸先稜角面部とそれに続く段差部並びに／又は傾き部との境界の角部、該段差部並びに／又は傾き部と裏側面との境界の角部の間の長さ、及び戸先側芯材における貼着面に対応した貼着面が形成され、且つ前記境界の角部に対応した角度を有する斜め対向面が形成された、請求項７に記載の引き違い戸の製法。
【請求項９】
芯材の前記境界の角部に対応した位置において、芯材の貼着面に対応した貼着面より表面シート側の面に向けて切削して断面Ｖ字型の斜め対向面を形成して、表面板材を形成する、請求項７または請求項８に記載の引き違い戸の製法。
【発明の詳細な説明】
【技術分野】
【０００１】
この発明は、たとえば、家の部分の仕切りをするための戸としてとりつけられて用いられ、または、クローゼットドアーなどのような作り付け家具のドアーとして用いられる、引き違い戸およびその製法に関する。
【背景技術】
【０００２】
従来より、閉じた位置においてフラット配置（平面配置）された引き違い戸がいくつか提案されている。
【０００３】
【特許文献１】特開２００５−２３５３９号公報
【発明の開示】
【発明が解決しようとする課題】
【０００４】
従来の閉じた位置においてフラット配置（平面配置）された引き違い戸は、金属製であり、たとえば木造住宅や木調の家などにおいては、機能的には金属製でもよいが、やはり、その他の部分と調和した木質感のある引き違い戸が求められている。
しかも、室内の戸としては、開閉間仕切り、クローゼットドアー等に用いる場合、表面がきれいで反りなどの経年変化を生じることがなく、しかも、製造段階において加工がしやすく製造に手間がかからないようにしなければならないといった要望がある。
それゆえに、この発明の主たる目的は、比較的容易に製造することができ、かつ経年変化が生じにくく、住宅の雰囲気に調和した、引き違い戸を提供することにある。
【課題を解決するための手段】
【０００５】
この発明の請求項１にかかる引き違い戸は、閉じた位置においてフラット配置（平面）される複数の戸が、開閉時に、閉止位置と引き違い位置との間において前方及び／又は後方に移動し、且つ一方が他方の前面において平行に往復移動するように形成された引き違い戸において、戸は、芯材と芯材の外表面を覆う表面材とを有し、芯材は、戸先側先端に段差部及び／又は傾き部が形成され、該戸先に続く表側面及び裏側面が略平面に形成された戸先側芯材と、戸の後端側を形成する後端側芯材とを有し、表面材は、可撓性を有する表面シートと、前記表面シートの裏面側に設けられた表面板材とを有し、前記表面材は、表面板材の斜め対向面を接近させるように表面シートが折り曲げられ、表面板材が戸先側芯材の外表面に貼着され、閉じた位置において隣り合う戸先に、前記閉止位置と引き違い位置との間において前方及び／又は後方に移動するための段差部及び／又は傾き部が形成された、引き違い戸である。
この発明の請求項２にかかる引き違い戸は、前記戸先側芯材は、略平面状表側面に適宜な角度をもって連設された戸先稜角面部と、該戸先稜角面部に続いて、裏側面に到る段差部及び／又は傾き部とを有し、前記表面板材は、少なくとも、戸先側芯材における、表側面と戸先稜角面部との境界の角部、該戸先稜角面部とそれに続く段差部並びに／又は傾き部との境界の角部及び該段差部並びに／又は傾き部と裏側面との境界の角部の間の長さ、及び戸先側芯材における貼着面に対応した貼着面が形成され、且つ前記境界の角部に対応した角度を有する斜め対向面が形成された、請求項１に記載の引き違い戸である。
この発明の請求項３にかかる引き違い戸は、表面材は、戸先側芯材と後端側芯材との間に跨って、平面状に架設された、請求項１または請求項２に記載の引き違い戸である。
この発明の請求項４にかかる引き違い戸は、前記表面板材は、少なくとも、芯材の戸先側先端の段差部並びに／又は傾き部と該戸先側先端に続く表側面との境界の角部及び戸先側先端の段差部並びに／又は傾き部と該戸先側先端に続く裏側面との境界の角部の間の長さ、及び貼着面に対応した貼着面が形成され、且つ前記境界の角部に対応した角度を有する斜め対向面が形成された、請求項１ないし請求項３のいずれかに記載の引き違い戸である。
この発明の請求項５にかかる引き違い戸は、表面板材は、芯材側の貼着面と表面シート側の面とが平行な平面状に形成され、芯材の前記境界の角部に対応した位置において、芯材の貼着面に対応した貼着面より表面シート側の面に向けて切削されてなる断面Ｖ字型の斜め対向面が形成された、請求項１ないし請求項４のいずれかに記載の引き違い戸である。
この発明の請求項６にかかる引き違い戸は、引き違い戸は、左右一対で形成され、閉止位置から引き違い位置に移動させるときに前方に移動する一方の引き違い戸は、戸先側先端と他方の引き違い戸の戸先側先端とが接触しないように形成されるとともに、他方の引き違い戸は、戸先側先端と他方の引き違い戸の戸先側先端とが接触しないように形成された、請求項１ないし請求項５のいずれかに記載の引き違い戸である。
この発明の請求項７にかかる引き違い戸の製法は、閉じた位置においてフラット配置（平面）される複数の戸が、開閉時に、閉止位置と引き違い位置との間において前方及び／又は後方に移動前方及び／又は後方に移動し且つ一方が他方の前面において平行に往復移動するように形成された引き違い戸の製法において、戸先側先端に段差部及び／又は傾き部が形成され、該戸先に続く表側面及び裏側面が略平面に形成された戸先側芯材と、戸の後端側を形成する後端側芯材とを有する芯材を形成する、芯材を形成するステップと、可撓性を有する表面シートの裏面側に、少なくとも、芯材の戸先側先端の段差部並びに／又は傾き部と該戸先側先端に続く表側面との境界の角部、戸先側先端の段差部並びに／又は傾き部と該戸先側先端に続く裏側面との境界の角部の間の長さ、及び貼着面に対応した貼着面が形成され、且つ前記境界の角部に対応した角度を有する斜め対向面が形成された表面板材を形成する、表面材を形成するステップと、前記表面材は、表面板材の斜め対向面を接近させるように表面シートが折り曲げられ、表面板材を戸先側芯材の外表面に貼着して、前記隣り合う戸先に、前記前方又は後方に移動するための段差部及び／又は傾き部を形成する、戸を形成するステップとを含む、引き違い戸の製法である。
この発明の請求項８にかかる引き違い戸の製法は、前記戸先側芯材は、略平面状表側面に適宜な角度をもって連設された戸先稜角面部と、該戸先稜角面部に続いて、裏側面に到る段差部及び／又は傾き部とを有し、前記表面板材は、少なくとも、戸先側芯材における、表側面と戸先稜角面部との境界の角部、該戸先稜角面部とそれに続く段差部並びに／又は傾き部との境界の角部、該段差部並びに／又は傾き部と裏側面との境界の角部の間の長さ、及び戸先側芯材における貼着面に対応した貼着面が形成され、且つ前記境界の角部に対応した角度を有する斜め対向面が形成された、請求項７に記載の引き違い戸の製法である。
この発明の請求項９にかかる引き違い戸の製法は、芯材の前記境界の角部に対応した位置において、芯材の貼着面に対応した貼着面より表面シート側の面に向けて切削して断面Ｖ字型の斜め対向面を形成して、表面板材を形成する、請求項７または請求項８に記載の引き違い戸の製法である。
【発明の効果】
【０００６】
この発明によれば、閉じた位置においてフラット配置（平面）される複数の戸が、開閉時に、閉止位置と引き違い位置との間において前方及び／又は後方に移動し、且つ一方が他方の前面において平行に往復移動するように形成された引き違い戸において、戸は、芯材と芯材の外表面を覆う表面材とを有し、芯材は、戸先側先端に段差部及び／又は傾き部が形成され、該戸先に続く表側面及び裏側面が略平面に形成された戸先側芯材と、戸の後端側を形成する後端側芯材とを有し、表面材は、可撓性を有する表面シートと、前記表面シートの裏面側に設けられた表面板材とを有し、前記表面材は、表面板材の斜め対向面を接近させるように表面シートが折り曲げられ、表面板材が戸先側芯材の外表面に貼着され、閉じた位置において隣り合う戸先に、前記閉止位置と引き違い位置との間において前方及び／又は後方に移動するための段差部及び／又は傾き部が形成されているので、閉じた位置においてフラット配置(平面)された複数の戸が、開閉時に、前方及び／又は後方に移動し、且つ、一方が他方の前面において平行に移動するように形成された引き違い戸を比較的容易に製造することができ、かつ経年変化が生じにくく、住宅の雰囲気に調和した、引き違い戸を得ることができる。
請求項２の発明によれば、前記戸先側芯材は、略平面状表側面に適宜な角度をもって連設された戸先稜角面部と、該戸先稜角面部に続いて、裏側面に到る段差部及び／又は傾き部とを有し、前記表面板材は、少なくとも、戸先側芯材における、表側面と戸先稜角面部との境界の角部、該戸先稜角面部とそれに続く段差部並びに／又は傾き部との境界の角部及び該段差部並びに／又は傾き部と裏側面との境界の角部の間の長さ、及び戸先側芯材における貼着面に対応した貼着面が形成され、且つ前記境界の角部に対応した角度を有する斜め対向面が形成されているので、芯材の角部に沿わせて、表面板材を芯材の外表面に、密着させて貼着することができる。
請求項３の発明によれば、表面材は、戸先側芯材と後端側芯材との間に跨って、平面状に架設されているので、表面がフラットな戸を得ることができる。
請求項４の発明によれば、前記表面板材は、少なくとも、芯材の戸先側先端の段差部並びに／又は傾き部と該戸先側先端に続く表側面との境界の角部及び戸先側先端の段差部並びに／又は傾き部と該戸先側先端に続く裏側面との境界の角部の間の長さ、及び貼着面に対応した貼着面が形成され、且つ前記境界の角部に対応した角度を有する斜め対向面が形成されているので、芯材の角部に沿わせて、表面板材を芯材の外表面に、密着させて貼着することができる。
請求項５の発明によれば、表面板材は、芯材側の貼着面と表面シート側の面とが平行な平面状に形成され、芯材の前記境界の角部に対応した位置において、芯材の貼着面に対応した貼着面より表面シート側の面に向けて切削されてなる断面Ｖ字型の斜め対向面が形成されているので、芯材の角部に沿わせて、表面板材を芯材の外表面に、密着させて貼着することができる。
請求項６の発明によれば、引き違い戸は、左右一対で形成され、閉止位置から引き違い位置に移動させるときに前方に移動する一方の引き違い戸は、戸先側先端と他方の引き違い戸の戸先側先端とが接触しないように形成されるとともに、他方の引き違い戸は、戸先側先端と他方の引き違い戸の戸先側先端とが接触しないように形成されているので、その角度に対応して、左右の引き違い戸を開閉できる。
請求項７の発明によれば、閉じた位置においてフラット配置（平面）される複数の戸が、開閉時に、閉止位置と引き違い位置との間において前方及び／又は後方に移動前方及び／又は後方に移動し且つ一方が他方の前面において平行に往復移動するように形成された引き違い戸の製法において、戸先側先端に段差部及び／又は傾き部が形成され、該戸先に続く表側面及び裏側面が略平面に形成された戸先側芯材と、戸の後端側を形成する後端側芯材とを有する芯材を形成する、芯材を形成するステップと、可撓性を有する表面シートの裏面側に、少なくとも、芯材の戸先側先端の段差部並びに／又は傾き部と該戸先側先端に続く表側面との境界の角部、戸先側先端の段差部並びに／又は傾き部と該戸先側先端に続く裏側面との境界の角部の間の長さ、及び貼着面に対応した貼着面が形成され、且つ前記境界の角部に対応した角度を有する斜め対向面が形成された表面板材を形成する、表面材を形成するステップと、前記表面材は、表面板材の斜め対向面を接近させるように表面シートが折り曲げられ、表面板材を戸先側芯材の外表面に貼着して、前記隣り合う戸先に、前記前方又は後方に移動するための段差部及び／又は傾き部を形成する、戸を形成するステップとを含むので、閉じた位置においてフラット配置(平面)された複数の戸が、開閉時に、前方及び／又は後方に移動し且つ一方が他方の前面において平行に移動するように形成された引き違い戸を比較的容易に製造することができる。
請求項８の発明によれば、前記戸先側芯材は、略平面状表側面に適宜な角度をもって連設された戸先稜角面部と、該戸先稜角面部に続いて、裏側面に到る段差部及び／又は傾き部とを有し、前記表面板材は、少なくとも、戸先側芯材における、表側面と戸先稜角面部との境界の角部、該戸先稜角面部とそれに続く段差部並びに／又は傾き部との境界の角部、該段差部並びに／又は傾き部と裏側面との境界の角部の間の長さ、及び戸先側芯材における貼着面に対応した貼着面が形成され、且つ前記境界の角部に対応した角度を有する斜め対向面が形成されているので、芯材の角部に沿わせて、表面板材を芯材の外表面に、密着させて貼着することができる。
請求項９の発明によれば、芯材の前記境界の角部に対応した位置において、芯材の貼着面に対応した貼着面より表面シート側の面に向けて切削して断面Ｖ字型の斜め対向面を形成して、表面板材を形成するので、芯材の角部に沿わせて、表面板材を芯材の外表面に、密着させて貼着することができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明の一実施の形態である引き違い戸装置の正面図解図であり、図２は、この発明の一実施の形態である引き違い戸装置の平面図解図であり、図３ないし図５は、この発明の一実施の形態である引き違い戸の断面図解図である。
図６ないし図９は、この発明の一実施の形態である戸を構成する芯材及び表面材の製造工程を示す図解図である。
【０００９】
この引き違い戸装置は、引き違い戸１０を備え、引き違い戸１０は、室内ドア、開閉間仕切りあるいはクローゼットドアーのドアーとして用いることができる。特にクローゼットドアーのドアーとして用いるに好適なものであり、閉じた位置において、並置された戸をフラット配置(平面配置)された複数の戸が、開閉時に、閉止位置と引き違い位置との間において斜め前方及び／又は斜め後方に移動し且つ一方が他方の前面において平行に往復移動するように形成されている。
引き違い戸１０には、走行ユニットが取り付けられ、走行ユニットのレールに沿って走行させることによって、開閉時に、斜め前方及び／又は斜め後方に移動し且つ一方が他方の前面において平行に移動するように形成されている。
【００１０】
引き違い戸１０は、左右一対で形成され、閉じた位置（閉止位置）においてフラット配置（平面配置）されたとき隣り合う引き違い戸１０の部分的に重なり合う戸先が、引き違い時において障害となることなく前記斜め前方又は斜め後方に移動するための段差部が形成されている。
【００１１】
すなわち、閉止位置から引き違い位置に移動させるときに斜め前方に移動する一方の引き違い戸１２（すなわち引きスライド扉２０２）は、戸先部１４の戸先側先端の段差部１６と該戸先側先端の段差部１６に続く表側面１８との境界の角度が直角に形成され、戸先側先端の段差部１６と該戸先側先端の段差部１６に続く裏側面２０との境界の角度が直角に形成されるとともに、他方の引き違い戸３２（すなわちスライド扉２０４）は、戸先部３４の戸先側先端の段差部３６と該戸先側先端の段差部３６に続く表側面３８との境界の角度が直角に形成され、戸先側先端の段差部３６と該戸先側先端の段差部３６に続く裏側面４０との境界の角度が直角に形成されている。
【００１２】
段差部１６は、表側面１８との間において直交する第１面２２ａを形成するように形成された第１凸部２２と、第１凸部２２より後端側に寄った位置において、裏側面２０との間において直交する第２面２４ａを形成するように形成された第２凸部２４と、引き違い戸１２を引き違い戸３２の前面において往復移動させる方向に沿い且つ第１面２２ａと第２面２４ａと直交する第３面２８ａを形成するように、該第１凸部２２と直交するように形成された第３凸部２６と、第１凸部２２より後端側に寄った位置において形成された第１凹部２８とを備える。
段差部３６は、裏側面４０との間において直交する第１面４２ａを形成するように形成された第１凸部４２と、第１凸部４２より後端側に寄った位置において、表側面３８との間において直交する第２面４４ａを形成するように形成された第２凸部４４と、引き違い戸３２を引き違い戸１２の後面において往復移動させる方向に沿い且つ第１面４２ａと第２面４４ａと直交する第３面４８ａを形成するように、該第１凸部４２と直交するように形成された第３凸部４６と、第１凸部４２より後端側に寄った位置において形成された第１凹部４８とを備える。
【００１３】
段差部１６は、引き違い戸１２を閉止位置から、引き違い位置に移動したときに接近する引き違い戸３２の戸先部３４における表面側の凸部、すなわち、引き違い戸３２の段差部３６と表面側との境界部とが接触しないように形成されている。
すなわち、閉止位置にある引き違い戸１２の段差部１６の引き違い戸３２側の凸部、すなわち、段差部１６の第１凸部２２と、閉止位置にある引き違い戸３２の戸先部３４における表面側の凸部、すなわち、引き違い戸３２の第２凸部４４とは、それを結ぶ斜線が、引き違い戸１２の閉止位置から引き違い位置に移動させる斜め方向とが略々近く、且つ、引き違い戸１２を閉止位置から引き違い位置に移動したときに接触しないようにするための間隔をおいて、閉止位置に固定されるように形成されている。
【００１４】
引き違い戸１２は、図３ないし図５で示すように、芯材５０と芯材５０の外表面を覆う表面材５２とを有し、表面材５２は、芯材５０の表面すなわち戸先側芯材５４と後端側芯材５６との間に跨って、平面状に架設されている。
【００１５】
芯材５０は、戸先側先端を形成する断面略Ｌ字型の角柱状戸先側芯材５４と、引き違い戸１０の後端側を形成する角柱状後端側芯材５６とを有する。
戸先側芯材５４は、戸先側先端に段差部５４ｃが形成され、該戸先側先端の段差部５４ｃに続く表側面５４ａ及び裏側面５４ｂが略平面に形成されている。
前記戸先側芯材５４は、略平面状表側面５４ａに略９０度の角度をもって連設された第１角部５４ｄと、略平面状裏側面５４ｂに略９０°の角度をもって連設された第２角部５４ｅと、表側面５４ａから第１角部５４ｄを経て且つ第２角部５４ｅを経て裏側面５４ｂに到る段差部５４ｃとを有する。
後端側芯材５６は、戸先側芯材５４の表側面５４ａと裏側面５４ｂとの間の長さと同一の長さの厚さを有し、略平面状の表側面５６ｂと略平面状の裏側面５６ｃを備え、表側面５６ｂと裏側面５６ｃの後端縁には、表側面５６ｂ及び裏側面５６ｃと略９０゜の角度をもって連設された稜角面部５６ｄが形成され、全体として断面略方形の角柱状に形成されている。
【００１６】
芯材５０の戸先側芯材５４は、表側面５４ａと裏側面５４ｂとの間において形成された段差部５４ｃを備え、段差部５４ｃは表側面５４ａとの間において直交する第１貼着面５４ｄ1を形成するように形成された第１角部５４ｄと、第１角部５４ｄより後端側に寄った位置において裏側面５４ｂとの間において直交する第２貼着面５４ｅ1を形成するように形成された第２角部５４ｅと、第１角部５４ｄとの間において直交する第１貼着面５４ｄ1を形成するように形成された第３角部５４ｆと、第１角部５４ｄより後端側に寄った位置において、第１貼着面５４ｄ1及び第２貼着面５４ｅ1と直交する第３貼着面５４ｇ1を形成するように形成された第１凹部５４ｇとを備える。
芯材５０の後端側芯材５６は、表側面５６ｂと稜角面部５６ｄとの境界の角部５６ｅと、裏側面５６ｃと稜角面部５６ｄとの境界の角部５６ｆとを備える。
【００１７】
芯材５０は、図１０で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材５０は、左右一対の戸先側芯材５４と後端側芯材５６との間に架設体５８が架け渡されてなり、戸先側芯材５４がそり等の防止目的により単板積層材（ＬＶＬ；ラミネーテッドベニヤランバー）で形成されており、後端側芯材５６と架設体５８とがミディアム・デンシティ・ファイバーボード（ＭＤＦ）等で形成されている。
【００１８】
表面材５２は、図６ないし図９で示すように、可撓性を有し、その表面に天然木の木目調の印刷模様等の天然系素材に近い模様を有する表面シート６０と、前記表面シート６０の裏面側に設けられた第１表面板材６２、第２表面板材６４、第３表面板材６６、第４表面板材６８及び第５表面板材７０とを有する。
前記第１表面板材６２、第２表面板材６４、第３表面板材６６、第４表面板材６８及び第５表面板材７０は、少なくとも、芯材５０の戸先側先端の表側面５４ａ、裏側面５４ｂ、第１貼着面５４ｄ1、第２貼着面５４ｅ1、及び第３貼着面５４ｇ1の表面に対応した貼着面６２ａ、貼着面７０ａ、貼着面６４ａ、貼着面６８ａ及び貼着面６６ａが形成されている。
【００１９】
第１表面板材６２は、芯材５０側の貼着面と表面シート６０側の面とが平行な平面状に形成され、第１角部５４ｄと角部５６ｅとの間の長さ及び戸先側芯材５４における表側面５４ａに対応した貼着面６２ａが形成され、芯材５０の前記第１角部５４ｄ及び角部５６ｅに対応した位置において、芯材５０の貼着面に対応した貼着面６２ａより表面シート６０側の面に向けて断面Ｖ字型に切削されてなる斜め対向面６２ｂ、斜め対向面６２ｃが形成されている。
第２表面板材６４は、芯材５０側の貼着面６４ａと表面シート６０側の面とが平行な平面状に形成され、第１角部５４ｄと第３角部５４ｆとの間の長さ及び戸先側芯材５４における第１貼着面５４ｄ1に対応した貼着面６４ａが形成され、芯材５０の前記第１角部５４ｄ及び第３角部５４ｆに対応した位置において、芯材５０の貼着面に対応した貼着面６４ａより表面シート６０側の面に向けて断面Ｖ字型に切削されてなる斜め対向面６４ｂ、斜め対向面６４ｃが形成されている。
第３表面板材６６は、芯材５０側の貼着面と表面シート６０側の面とが平行な平面状に形成され、第３角部５４ｆと第１凹部５４ｇとの間の長さ及び戸先側芯材５４における第３貼着面５４ｇ1に対応した貼着面６６ａが形成され、芯材５０の前記第３角部５４ｆ及び第１凹部５４ｇに対応した位置において、芯材５０の貼着面に対応した貼着面６６ａより表面シート６０側の面に向けて断面Ｖ字型に切削されてなる斜め対向面６６ｂ、斜め対向面６６ｃが形成されている。
第４表面板材６８は、第１凹部５４ｇと第２角部５４ｅとの間の長さ及び戸先側芯材５４における第２貼着面５４ｅ1に対応した貼着面６８ａが形成され、第１凹部５４ｇ及び第２角部５４ｅに対応した位置において、芯材５０の貼着面に対応した貼着面６８ａより表面シート６０側に向けて断面Ｖ字型に切削されてなる対向面斜め対向面６８ｂ、斜め対向面６８ｃが形成されている。
【００２０】
第５表面板材７０は、第２角部５４ｅより後端側の戸先側芯材５４の裏側面５４ｂに対応した貼着面７０ａが形成され、第２角部５４ｅに対応した位置において、芯材５０の裏側面５４ｂに対応した貼着面７０ａより表面シート６０側に向けて断面Ｖ字型に切削されてなる斜め対向面７０ｃが形成されるとともに、第８表面板材７６との対向面７０ｂが形成されている。
【００２１】
第６表面板材７２は、芯材５０の後端側芯材５６の稜角面部５６ｄ側の貼着面と表面シート６０側の面とが平行な平面状に形成され、角部５６ｅと角部５６ｆとの間の長さ及び後端側芯材５６における稜角面部５６ｄに対応した貼着面７２ａが形成され、芯材５０の前記境界の角部５６ｅ及び角部５６ｆに対応した位置において、芯材５０の貼着面に対応した貼着面７２ａより表面シート６０側の面に向けて断面Ｖ字型に切削されてなる斜め対向面７２ｂ、斜め対向面７２ｃが形成されている。
第７表面板材７４は、芯材５０側の貼着面と表面シート６０側の面とが平行な平面状に形成され、角部５６ｆより前端側の後端側芯材５６の裏側面５６ｃに対応した貼着面７２ａが形成され、芯材５０の前記境界の角部５６ｆに対応した位置において、芯材５０の貼着面に対応した貼着面７４ａより表面シート６０側の面に向けて断面Ｖ字型に切削されてなる斜め対向面７４ｂが形成されるとともに、第８表面板材７６との対向面７４ｃが形成されている。
第８表面板材７６は、芯材５０側の貼着面と表面シート６０側の面とが平行な平面状に形成され、芯材５０の戸先側芯材５４及び後端側芯材５６の前記裏面に対応した位置において、芯材５０の戸先側芯材５４及び後端側芯材５６の貼着面に対応した貼着面７６ａより表面シート６０側の面に向けて切削されてなる対向面７６ｂ、対向面７６ｃが形成されている。
【００２２】
更に、第１表面板材６２及び第２表面板材６４は、図６及び図７において示すように、前記戸先側芯材５４の境界の第１角部５４ｄに対応した角度を有するその両端の斜め対向面６２ｂと斜め対向面６４ｃとを接近させるように表面シート６０が折り曲げられ、第１表面板材６２及び第２表面板材６４は、戸先側芯材５４の外表面の貼着面たる第１貼着面５４ｄ1に貼着されて、前記隣り合う戸先に、前記第１面２２ａが形成されている。
更に、第２表面板材６４及び第３表面板材６６は、図６及び図７において示すように、前記戸先側芯材５４の第３角部５４ｆに対応した角度を有するその両端の斜め対向面６４ｂと斜め対向面６６ｃとを接近させるように表面シート６０が折り曲げられ、第２表面板材６４及び第３表面板材６６は、戸先側芯材５４の外表面の貼着面たる第３貼着面５４ｇ1に貼着されて、前記隣り合う戸先に、前記第３面２８ａが形成されている。
更に、第３表面板材６６及び第４表面板材６８は、図６及び図７において示すように、前記戸先側芯材５４の第１凹部５４ｇに対応した角度を有するその両端の斜め対向面６６ｂと斜め対向面６８ｃとを拡開させるように表面シート６０が折り曲げられ、第３表面板材６６及び第４表面板材６８は、戸先側芯材５４の外表面の貼着面たる第２貼着面５４ｅ1に貼着されて、前記隣り合う戸先に、前記第２面２４ａが形成されている。
更に、第４表面板材６８及び第５表面板材７０は、図６及び図７において示すように、前記戸先側芯材５４の第２角部５４ｅに対応した角度を有するその両端の斜め対向面６８ｂと斜め対向面７０ｃとを接近させるように表面シート６０が折り曲げられ、第４表面板材６８及び第５表面板材７０は戸先側芯材５４の外表面の貼着面に貼着されて、引き違い戸１２の平面状裏面が形成されている。
【００２３】
更に、第１表面板材６２及び第６表面板材７２は、図６及び図７において示すように、前記後端側芯材５６の境界の角部５６ｅに対応した角度を有するその両端の斜め対向面６２ｃと斜め対向面７２ｂとを接近させるように表面シート６０が折り曲げられ、第１表面板材６２及び第６表面板材７２は、後端側芯材５６の外表面の貼着面に貼着されて、後端側稜角面部を形成している。
【００２４】
第６表面板材７２及び第７表面板材７４は、斜め対向面７２ｃ及び斜め対向面７４ｂを接近させるようにして、後端側芯材５６の裏面側の外表面に貼着されて、引き違い戸１２の平面状裏面が形成されている。
更に、第８表面板材７６と第５表面板材７０及び第７表面板材７４とは、対向面７６ｂと対向面７０ｂ及び対向面７６ｃと対向面７４ｃとが対向するようにして、戸先側芯材５４及び後端側芯材５６の裏面側の外表面の貼着面に貼着されて、引き違い戸１２の平面状裏面が形成されている。
【００２５】
もう一方の引き違い戸３２は、図５、８及び９で示すように、芯材１５０と芯材１５０の外表面を覆う表面材１５２とを有し、表面材１５２は、芯材１５０の表面すなわち戸先側芯材１５４と後端側芯材１５６との間に跨って、平面状に架設されている。
【００２６】
芯材１５０は、戸先側先端を形成する断面略Ｌ字型の角柱状戸先側芯材１５４と、引き違い戸１０の後端側を形成する角柱状後端側芯材１５６とを有する。
戸先側芯材１５４は、戸先側先端に段差部１５４ｃが形成され、該戸先側先端の段差部１５４ｃに続く表側面１５４ｂ及び裏側面１５４ａが略平面に形成されている。
前記戸先側芯材１５４は、略平面状裏側面１５４ａに略９０度の角度をもって連設された第１角部１５４ｄと、略平面状表側面１５４ｂに略９０°の角度をもって連設された第２角部１５４ｅと、裏側面１５４ａから第１角部１５４ｄを経て且つ第２角部１５４ｅを経て表側面１５４ｂに到る段差部１５４ｃとを有する。
後端側芯材１５６は、戸先側芯材１５４の表側面１５４ｂと裏側面１５４ａとの間の長さと同一の長さの厚さを有し、略平面状の表側面１５６ｃと略平面状の裏側面１５６ｂを備え、表側面１５６ｃと裏側面１５６ｂの後端縁には、表側面１５６ｃ及び裏側面１５６ｂと略９０゜の角度をもって連設された稜角面部１５６ｄが形成され、全体として断面略方形の角柱状に形成されている。
【００２７】
芯材１５０の戸先側芯材１５４は、表側面１５４ｂと裏側面１５４ａとの間において形成された段差部１５４ｃを備え、段差部１５４ｃは裏側面１５４ａとの間において直交する第１貼着面１５４ｄ1を形成するように形成された第１角部１５４ｄと、第１角部１５４ｄより後端側に寄った位置において表側面１５４ｂとの間において直交する第２貼着面１５４ｅ1を形成するように形成された第２角部１５４ｅと、第１角部１５４ｄとの間において直交する第１貼着面１５４ｄ1を形成するように形成された第３角部１５４ｆと、第１角部１５４ｄより後端側に寄った位置において、第１貼着面１５４ｄ1及び第２貼着面１５４ｅ1と直交する第３貼着面１５４ｇ1を形成するように形成された第１凹部１５４ｇとを備える。
芯材１５０の後端側芯材１５６は、裏側面１５６ｂと稜角面部１５６ｄとの境界の角部１５６ｅと、表側面１５６ｃと稜角面部１５６ｄとの境界の角部１５６ｆとを備える。
【００２８】
芯材１５０は、図１０で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材１５０は、左右一対の戸先側芯材１５４と後端側芯材１５６との間に架設体１５８が架け渡されてなり、戸先側芯材１５４がそり等の防止目的により単板積層材（ＬＶＬ；ラミネーテッドベニヤランバー）で形成されており、後端側芯材１５６と架設体１５８とがミディアム・デンシティ・ファイバーボード（ＭＤＦ）等で形成されている。
【００２９】
表面材１５２は、図８及び図９で示すように、可撓性を有し、その表面に天然木の木目調の印刷模様等の天然系素材に近い模様を有する表面シート１６０と、前記表面シート１６０の裏面側に設けられた第１表面板材１６２、第２表面板材１６４、第３表面板材１６６、第４表面板材１６８及び第５表面板材１７０とを有する。
前記第１表面板材１６２、第２表面板材１６４、第３表面板材１６６、第４表面板材１６８及び第５表面板材１７０は、少なくとも、芯材１５０の戸先側先端の表側面１５４ｂ、裏側面１５４ａ、第１貼着面１５４ｄ1、第２貼着面１５４ｅ1、及び第３貼着面１５４ｇ1の表面に対応した貼着面１６２ａ、貼着面１７０ａ、貼着面１６４ａ、貼着面１６８ａ及び貼着面１６６ａが形成されている。
【００３０】
第１表面板材１６２は、芯材１５０側の貼着面と表面シート１６０側の面とが平行な平面状に形成され、第２角部１５４ｅと角部１５６ｆとの間の長さ及び戸先側芯材１５４における表側面１５４ｂに対応した貼着面１６２ａが形成され、芯材１５０の前記第２角部１５４ｅ及び角部１５６ｆに対応した位置において、芯材１５０の貼着面に対応した貼着面１６２ａより表面シート１６０側の面に向けて断面Ｖ字型に切削されてなる斜め対向面１６２ｂ、斜め対向面１６２ｃが形成されている。
第２表面板材１６４は、芯材１５０側の貼着面１６４ａと表面シート１６０側の面とが平行な平面状に形成され、第１角部１５４ｄと第３角部１５４ｆとの間の長さ及び戸先側芯材１５４における第１貼着面１５４ｄ1に対応した貼着面１６４ａが形成され、芯材１５０の前記第１角部１５４ｄ及び第３角部１５４ｆに対応した位置において、芯材１５０の貼着面に対応した貼着面１６４ａより表面シート１６０側の面に向けて断面Ｖ字型に切削されてなる斜め対向面１６４ｂ、斜め対向面１６４ｃが形成されている。
第３表面板材１６６は、芯材１５０側の貼着面と表面シート１６０側の面とが平行な平面状に形成され、第３角部１５４ｆと第１凹部１５４ｇとの間の長さ及び戸先側芯材１５４における第３貼着面１５４ｇ1に対応した貼着面１６６ａが形成され、芯材１５０の前記第３角部１５４ｆ及び第１凹部１５４ｇに対応した位置において、芯材１５０の貼着面に対応した貼着面１６６ａより表面シート１６０側の面に向けて断面Ｖ字型に切削されてなる斜め対向面１６６ｂ、斜め対向面１６６ｃが形成されている。
第４表面板材１６８は、第１凹部１５４ｇと第２角部１５４ｅとの間の長さ及び戸先側芯材１５４における第２貼着面１５４ｅ1に対応した貼着面１６８ａが形成され、第１凹部１５４ｇ及び第２角部１５４ｅに対応した位置において、芯材１５０の貼着面に対応した貼着面１６８ａより表面シート１６０側に向けて断面Ｖ字型に切削されてなる対向面斜め対向面１６８ｂ、斜め対向面１６８ｃが形成されている。
【００３１】
第５表面板材１７０は、第１角部１５４ｄより後端側の戸先側芯材１５４の裏側面１５４ａに対応した貼着面１７０ａが形成され、第１角部１５４ｄに対応した位置において、芯材１５０の裏側面１５４ａに対応した貼着面１７０ａより表面シート１６０側に向けて断面Ｖ字型に切削されてなる斜め対向面１７０ｂが形成されるとともに、第８表面板材１７６との対向面１７０ｃが形成されている。
【００３２】
第６表面板材１７２は、芯材１５０の後端側芯材１５６の稜角面部１５６ｄ側の貼着面と表面シート１６０側の面とが平行な平面状に形成され、角部１５６ｅと角部１５６ｆとの間の長さ及び後端側芯材１５６における稜角面部１５６ｄに対応した貼着面１７２ａが形成され、芯材１５０の前記境界の角部１５６ｅ及び角部１５６ｆに対応した位置において、芯材１５０の貼着面に対応した貼着面１７２ａより表面シート１６０側の面に向けて断面Ｖ字型に切削されてなる斜め対向面１７２ｂ、斜め対向面１７２ｃが形成されている。
第７表面板材１７４は、芯材１５０側の貼着面と表面シート１６０側の面とが平行な平面状に形成され、角部１５６ｆより前端側の後端側芯材１５６の裏側面１５６ｂに対応した貼着面１７２ａが形成され、芯材１５０の前記境界の角部１５６ｆに対応した位置において、芯材１５０の貼着面に対応した貼着面１７４ａより表面シート６０側の面に向けて断面Ｖ字型に切削されてなる斜め対向面１７４ｂが形成されるとともに、第８表面板材１７６との対向面１７４ｃが形成されている。
第８表面板材１７６は、芯材１５０側の貼着面と表面シート１６０側の面とが平行な平面状に形成され、芯材１５０の戸先側芯材１５４及び後端側芯材１５６の前記裏面に対応した位置において、芯材１５０の戸先側芯材１５４及び後端側芯材１５６の貼着面に対応した貼着面１７６ａより表面シート１６０側の面に向けて切削されてなる対向面１７６ｂ、対向面１７６ｃが形成されている。
【００３３】
更に、第５表面板材１７０及び第２表面板材１６４は、図８及び図９において示すように、前記戸先側芯材１５４の境界の第１角部１５４ｄに対応した角度を有するその両端の斜め対向面１７０ｂと斜め対向面１６４ｃとを接近させるように表面シート１６０が折り曲げられ、第５表面板材１７０及び第２表面板材１６４は、戸先側芯材１５４の外表面の貼着面たる第１貼着面１５４ｄ1に貼着されて、前記隣り合う戸先に、前記第１面４２ａが形成されている。
更に、第２表面板材１６４及び第３表面板材１６６は、図８及び図９において示すように、前記戸先側芯材１５４の段差部１５４ｃに対応した角度を有するその両端の斜め対向面１６４ｂと斜め対向面１６６ｃとを接近させるように表面シート１６０が折り曲げられ、第２表面板材１６４及び第３表面板材１６６は、戸先側芯材１５４の外表面の貼着面たる第３貼着面１５４ｇ1に貼着されて、前記隣り合う戸先に、前記第３面４８ａが形成されている。
更に、第３表面板材１６６及び第４表面板材１６８は、図８及び図９において示すように、前記戸先側芯材１５４の第１凹部１５４ｇに対応した角度を有するその両端の斜め対向面１６６ｂと斜め対向面１６８ｃとを拡開させるように表面シート１６０が折り曲げられ、第３表面板材１６６及び第４表面板材１６８は、戸先側芯材１５４の外表面の貼着面たる第２貼着面１５４ｅ1に貼着されて、前記隣り合う戸先に、前記第２面４４ａが形成されている。
更に、第４表面板材１６８及び第１表面板材１６２は、図８及び図９において示すように、前記戸先側芯材１５４の第２角部１５４ｅに対応した角度を有するその両端の斜め対向面１６８ｂと斜め対向面１６２ｃとを接近させるように表面シート１６０が折り曲げられ、第４表面板材１６８及び第１表面板材１６２は戸先側芯材１５４の外表面の貼着面に貼着されて、引き違い戸３２の平面状表面が形成されている。
【００３４】
更に、第１表面板材１６２及び第６表面板材１７２は、図８及び図９において示すように、前記後端側芯材１５６の境界の角部１５６ｆに対応した角度を有するその両端の斜め対向面１６２ｂと斜め対向面１７２ｂとを接近させるように表面シート１６０が折り曲げられ、第１表面板材１６２及び第６表面板材１７２は、後端側芯材１５６の外表面の貼着面に貼着されて、後端側稜角面部を形成している。
【００３５】
第６表面板材１７２及び第７表面板材１７４は、斜め対向面１７２ｃ及び斜め対向面１７４ｂを接近させるようにして、後端側芯材１５６の裏面側の外表面に貼着されて、引き違い戸３２の平面状裏面が形成されている。
更に、第８表面板材１７６と第５表面板材１７０及び第７表面板材１７４とは、対向面１７６ｃと対向面１７０ｃ及び対向面１７６ｂと対向面１７４ｃとが対向するようにして、戸先側芯材１５４及び後端側芯材１５６の裏面側の外表面の貼着面に貼着されて、引き違い戸３２の平面状裏面が形成されている。
【００３６】
図１１ないし図１３は、この発明の一実施の形態である引き違い戸の断面図解図である。
図１４ないし図１７は、この発明の一実施の形態である戸を構成する芯材及び表面材の製造工程を示す図解図である。
【００３７】
この引き違い戸装置は、引き違い戸３１０を備え、引き違い戸３１０は、室内ドア、開閉間仕切りあるいはクローゼットドアーのドアーとして用いることができる。特にクローゼットドアーのドアーとして用いるに好適なものであり、閉じた位置において、並置された戸をフラット配置(平面配置)された複数の戸が、開閉時に、閉止位置と引き違い位置との間において斜め前方及び／又は斜め後方に移動し且つ一方が他方の前面において平行に往復移動するように形成されている。
引き違い戸３１０には、走行ユニットが取り付けられ、走行ユニットのレールに沿って走行させることによって、開閉時に、斜め前方及び／又は斜め後方に移動し且つ一方が他方の前面において平行に移動するように形成されている。
【００３８】
引き違い戸３１０は、左右一対で形成され、閉じた位置（閉止位置）においてフラット配置（平面配置）されたとき隣り合う引き違い戸３１０の部分的に重なり合う戸先が、引き違い時において障害となることなく前記斜め前方又は斜め後方に移動するための段差部が形成されている。
【００３９】
すなわち、閉止位置から引き違い位置に移動させるときに斜め前方に移動する一方の引き違い戸３１２（すなわち引きスライド扉５０２）は、戸先部３１４の戸先側先端の段差部３１６と該戸先側先端の段差部３１６に続く表側面３１８との境界の角度が直角に形成され、戸先側先端の段差部３１６と該戸先側先端の段差部３１６に続く裏側面３２０との境界の角度が鈍角に形成されるとともに、他方の引き違い戸３３２（すなわちスライド扉５０４）は、戸先部３３４の戸先側先端の段差部３３６と該戸先側先端の段差部３３６に続く表側面３３８との境界の角度が鈍角に形成され、戸先側先端の段差部３３６と該戸先側先端の段差部３３６に続く裏側面３４０との境界の角度が直角に形成されている。
【００４０】
段差部３１６は、表側面３１８との間において直交する第１面３２２ａを形成するように形成された第１凸部３２２と、第１凸部３２２より後端側に寄った位置において、裏側面３２０との間において、引き違い戸３１２を引き違い戸３３２の前面において往復移動させる方向に沿って斜交する第２面３２４ａを形成するように形成された第２凸部３２４と、第１面３２２ａと第２面３２４ａと直交する第３面３２８ａを形成するように、該第１凸部３２２と直交するように形成された第３凸部３２６と、第１凸部３２２より後端側に寄った位置において形成された第１凹部３２８とを備える。
段差部３３６は、裏側面３４０との間において直交する第１面３４２ａを形成するように形成された第１凸部３４２と、第１凸部３４２より後端側に寄った位置において、表側面３３８との間において、引き違い戸３３２を引き違い戸３１２の後面において往復移動させる方向に沿って斜交する第２面３４４ａを形成するように形成された第２凸部３４４と、第１面３４２ａと第２面３４４ａと直交する第３面３４８ａを形成するように、該第１凸部３４２と直交するように形成された第３凸部３４６と、第１凸部３４２より後端側に寄った位置において形成された第１凹部３４８とを備える。
【００４１】
段差部３１６は、引き違い戸３１２を閉止位置から、引き違い位置に移動したときに接近する引き違い戸３３２の戸先部３３４における表面側の凸部、すなわち、引き違い戸３３２の段差部３３６と表面側との境界部とが接触しないように形成されている。
すなわち、閉止位置にある引き違い戸３１２の段差部３１６の引き違い戸３３２側の凸部、すなわち、段差部３１６の第１凸部３２２と、閉止位置にある引き違い戸３３２の戸先部３３４における表面側の凸部、すなわち、引き違い戸３３２の第２凸部３４４とは、それを結ぶ斜線が、引き違い戸３１２の閉止位置から引き違い位置に移動させる斜め方向とが略々近く、且つ、引き違い戸３１２を閉止位置から引き違い位置に移動したときに接触しないようにするための間隔をおいて、閉止位置に固定されるように形成されている。
【００４２】
引き違い戸３１２は、図１１ないし図１３で示すように、芯材３５０と芯材３５０の外表面を覆う表面材３５２とを有し、表面材３５２は、芯材３５０の表面すなわち戸先側芯材３５４と後端側芯材３５６との間に跨って、平面状に架設されている。
【００４３】
芯材３５０は、戸先側先端を形成する断面略Ｌ字型の角柱状戸先側芯材３５４と、引き違い戸３１０の後端側を形成する角柱状後端側芯材３５６とを有する。
戸先側芯材３５４は、戸先側先端に段差部３５４ｃが形成され、該戸先側先端の段差部３５４ｃに続く表側面３５４ａ及び裏側面３５４ｂが略平面に形成されている。
前記戸先側芯材３５４は、略平面状表側面３５４ａに略９０度の角度をもって連設された第１角部３５４ｄと、略平面状裏側面３５４ｂに鈍角をもって連設された第２角部３５４ｅと、表側面３５４ａから第１角部３５４ｄを経て且つ第２角部３５４ｅを経て裏側面３５４ｂに到る段差部３５４ｃとを有する。
後端側芯材３５６は、戸先側芯材３５４の表側面３５４ａと裏側面３５４ｂとの間の長さと同一の長さの厚さを有し、略平面状の表側面３５６ｂと略平面状の裏側面３５６ｃを備え、表側面３５６ｂと裏側面３５６ｃの後端縁には、表側面３５６ｂ及び裏側面３５６ｃと略９０゜の角度をもって連設された稜角面部３５６ｄが形成され、全体として断面略方形の角柱状に形成されている。
【００４４】
芯材３５０の戸先側芯材３５４は、表側面３５４ａと裏側面３５４ｂとの間において形成された段差部３５４ｃを備え、段差部３５４ｃは表側面３５４ａとの間において直交する第１貼着面３５４ｄ1を形成するように形成された第１角部３５４ｄと、第１角部３５４ｄより後端側に寄った位置において裏側面３５４ｂとの間において斜交する第２貼着面３５４ｅ1を形成するように形成された第２角部３５４ｅと、第１角部３５４ｄとの間において直交する第１貼着面３５４ｄ1を形成するように形成された第３角部３５４ｆと、第１角部３５４ｄより後端側に寄った位置において、第１貼着面３５４ｄ1と直交し且つ第２貼着面３５４ｅ1と斜交する第３貼着面３５４ｇ1を形成するように形成された第１凹部３５４ｇとを備える。
芯材３５０の後端側芯材３５６は、表側面３５６ｂと稜角面部３５６ｄとの境界の角部３５６ｅと、裏側面３５６ｃと稜角面部３５６ｄとの境界の角部３５６ｆとを備える。
【００４５】
芯材３５０は、図１８で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材３５０は、左右一対の戸先側芯材３５４と後端側芯材３５６との間に架設体３５８が架け渡されてなり、戸先側芯材３５４がそり等の防止目的により単板積層材（ＬＶＬ；ラミネーテッドベニヤランバー）で形成されており、後端側芯材３５６と架設体３５８とがミディアム・デンシティ・ファイバーボード（ＭＤＦ）等で形成されている。
【００４６】
表面材３５２は、図１４ないし図１７で示すように、可撓性を有し、その表面に天然木の木目調の印刷模様等の天然系素材に近い模様を有する表面シート３６０と、前記表面シート３６０の裏面側に設けられた第１表面板材３６２、第２表面板材３６４、第３表面板材３６６、第４表面板材３６８及び第５表面板材３７０とを有する。
前記第１表面板材３６２、第２表面板材３６４、第３表面板材３６６、第４表面板材３６８及び第５表面板材３７０は、少なくとも、芯材３５０の戸先側先端の表側面３５４ａ、裏側面３５４ｂ、第１貼着面３５４ｄ1、第２貼着面３５４ｅ1、及び第３貼着面３５４ｇ1の表面に対応した貼着面３６２ａ、貼着面３７０ａ、貼着面３６４ａ、貼着面３６８ａ及び貼着面３６６ａが形成されている。
【００４７】
第１表面板材３６２は、芯材３５０側の貼着面と表面シート３６０側の面とが平行な平面状に形成され、第１角部３５４ｄと角部３５６ｅとの間の長さ及び戸先側芯材３５４における表側面３５４ａに対応した貼着面３６２ａが形成され、芯材３５０の前記第１角部３５４ｄ及び角部３５６ｅに対応した位置において、芯材３５０の貼着面に対応した貼着面３６２ａより表面シート３６０側の面に向けて断面Ｖ字型に切削されてなる斜め対向面３６２ｂ、斜め対向面３６２ｃが形成されている。
第２表面板材３６４は、芯材３５０側の貼着面３６４ａと表面シート３６０側の面とが平行な平面状に形成され、第１角部３５４ｄと第３角部３５４ｆとの間の長さ及び戸先側芯材３５４における第１貼着面３５４ｄ1に対応した貼着面３６４ａが形成され、芯材３５０の前記第１角部３５４ｄ及び第３角部３５４ｆに対応した位置において、芯材３５０の貼着面に対応した貼着面３６４ａより表面シート３６０側の面に向けて断面Ｖ字型に切削されてなる斜め対向面３６４ｂ、斜め対向面３６４ｃが形成されている。
第３表面板材３６６は、芯材３５０側の貼着面と表面シート３６０側の面とが平行な平面状に形成され、第３角部３５４ｆと第１凹部３５４ｇとの間の長さ及び戸先側芯材３５４における第３貼着面３５４ｇ1に対応した貼着面３６６ａが形成され、芯材３５０の前記第３角部３５４ｆ及び第１凹部３５４ｇに対応した位置において、芯材３５０の貼着面に対応した貼着面３６６ａより表面シート３６０側の面に向けて断面Ｖ字型に切削されてなる斜め対向面３６６ｂ、斜め対向面３６６ｃが形成されている。
第４表面板材３６８は、第１凹部３５４ｇと第２角部３５４ｅとの間の長さ及び戸先側芯材３５４における第２貼着面３５４ｅ1に対応した貼着面３６８ａが形成され、第１凹部３５４ｇ及び第２角部３５４ｅに対応した位置において、芯材３５０の貼着面に対応した貼着面３６８ａより表面シート３６０側に向けて断面Ｖ字型に切削されてなる対向面斜め対向面３６８ｂ、斜め対向面３６８ｃが形成されている。
【００４８】
第５表面板材３７０は、第２角部３５４ｅより後端側の戸先側芯材３５４の裏側面３５４ｂに対応した貼着面３７０ａが形成され、第２角部３５４ｅに対応した位置において、芯材３５０の裏側面３５４ｂに対応した貼着面３７０ａより表面シート３６０側に向けて断面Ｖ字型に切削されてなる斜め対向面３７０ｃが形成されるとともに、第８表面板材３７６との対向面３７０ｂが形成されている。
【００４９】
第６表面板材３７２は、芯材３５０の後端側芯材３５６の稜角面部３５６ｄ側の貼着面と表面シート３６０側の面とが平行な平面状に形成され、角部３５６ｅと角部３５６ｆとの間の長さ及び後端側芯材３５６における稜角面部３５６ｄに対応した貼着面３７２ａが形成され、芯材３５０の前記境界の角部３５６ｅ及び角部３５６ｆに対応した位置において、芯材３５０の貼着面に対応した貼着面３７２ａより表面シート３６０側の面に向けて断面Ｖ字型に切削されてなる斜め対向面３７２ｂ、斜め対向面３７２ｃが形成されている。
第７表面板材３７４は、芯材３５０側の貼着面と表面シート３６０側の面とが平行な平面状に形成され、角部３５６ｆより前端側の後端側芯材３５６の裏側面３５６ｃに対応した貼着面３７２ａが形成され、芯材３５０の前記境界の角部３５６ｆに対応した位置において、芯材３５０の貼着面に対応した貼着面３７４ａより表面シート３６０側の面に向けて断面Ｖ字型に切削されてなる斜め対向面３７４ｂが形成されるとともに、第８表面板材３７６との対向面３７４ｃが形成されている。
第８表面板材３７６は、芯材３５０側の貼着面と表面シート３６０側の面とが平行な平面状に形成され、芯材３５０の戸先側芯材３５４及び後端側芯材３５６の前記裏面に対応した位置において、芯材３５０の戸先側芯材３５４及び後端側芯材３５６の貼着面に対応した貼着面３７６ａより表面シート３６０側の面に向けて切削されてなる対向面３７６ｂ、対向面３７６ｃが形成されている。
【００５０】
更に、第１表面板材３６２及び第２表面板材３６４は、図１４及び図１５において示すように、前記戸先側芯材３５４の境界の第１角部３５４ｄに対応した角度を有するその両端の斜め対向面３６２ｂと斜め対向面３６４ｃとを接近させるように表面シート３６０が折り曲げられ、第１表面板材３６２及び第２表面板材３６４は、戸先側芯材３５４の外表面の貼着面に貼着されて、前記隣り合う戸先に、前記第１面３２２ａが形成されている。
更に、第２表面板材３６４及び第３表面板材３６６は、図１４及び図１５において示すように、前記戸先側芯材３５４の第３角部３５４ｆに対応した角度を有するその両端の斜め対向面３６４ｂと斜め対向面３６６ｃとを接近させるように表面シート３６０が折り曲げられ、第２表面板材３６４及び第３表面板材３６６は、戸先側芯材３５４の外表面の貼着面に貼着されて、前記隣り合う戸先に、前記第３面３２８ａが形成されている。
更に、第３表面板材３６６及び第４表面板材３６８は、図１４及び図１５において示すように、前記戸先側芯材３５４の第１凹部３５４ｇに対応した角度を有するその両端の斜め対向面３６６ｂと斜め対向面３６８ｃとを拡開させるように表面シート３６０が折り曲げられ、第３表面板材３６６及び第４表面板材３６８は、戸先側芯材３５４の外表面の貼着面に貼着されて、前記隣り合う戸先に、前記第２面３２４ａが形成されている。
更に、第４表面板材３６８及び第５表面板材３７０は、図１４及び図１５において示すように、前記戸先側芯材３５４の第２角部３５４ｅに対応した角度を有するその両端の斜め対向面３６８ｂと斜め対向面３７０ｃとを接近させるように表面シート３６０が折り曲げられ、第４表面板材３６８及び第５表面板材３７０は戸先側芯材３５４の外表面の貼着面に貼着されて、引き違い戸３１２の平面状裏面が形成されている。
【００５１】
更に、第１表面板材３６２及び第６表面板材３７２は、図１４及び図１５において示すように、前記後端側芯材３５６の境界の角部３５６ｅに対応した角度を有するその両端の斜め対向面３６２ｃと斜め対向面３７２ｂとを接近させるように表面シート３６０が折り曲げられ、第１表面板材３６２及び第６表面板材３７２は、後端側芯材３５６の外表面の貼着面に貼着されて、後端側稜角面部を形成している。
【００５２】
第６表面板材３７２及び第７表面板材３７４は、斜め対向面３７２ｃ及び斜め対向面３７４ｂを接近させるようにして、後端側芯材３５６の裏面側の外表面に貼着されて、引き違い戸３１２の平面状裏面が形成されている。
更に、第８表面板材３７６と第５表面板材３７０及び第７表面板材３７４とは、対向面３７６ｂと対向面３７０ｂ及び対向面３７６ｃと対向面３７４ｃとが対向するようにして、戸先側芯材３５４及び後端側芯材３５６の裏面側の外表面の貼着面に貼着されて、引き違い戸３１２の平面状裏面が形成されている。
【００５３】
もう一方の引き違い戸３３２は、図１３、１６及び１７で示すように、芯材４５０と芯材４５０の外表面を覆う表面材４５２とを有し、表面材４５２は、芯材４５０の表面すなわち戸先側芯材４５４と後端側芯材４５６との間に跨って、平面状に架設されている。
【００５４】
芯材４５０は、戸先側先端を形成する断面略Ｌ字型の角柱状戸先側芯材４５４と、引き違い戸３１０の後端側を形成する角柱状後端側芯材４５６とを有する。
戸先側芯材４５４は、戸先側先端に段差部４５４ｃが形成され、該戸先側先端の段差部４５４ｃに続く表側面４５４ｂ及び裏側面４５４ａが略平面に形成されている。
前記戸先側芯材４５４は、略平面状裏側面４５４ａに略９０度の角度をもって連設された第１角部４５４ｄと、略平面状表側面４５４ｂに鈍角をもって連設された第２角部４５４ｅと、裏側面４５４ａから第１角部４５４ｄを経て且つ第２角部４５４ｅを経て表側面４５４ｂに到る段差部４５４ｃとを有する。
後端側芯材４５６は、戸先側芯材４５４の表側面４５４ｂと裏側面４５４ａとの間の長さと同一の長さの厚さを有し、略平面状の表側面４５６ｃと略平面状の裏側面４５６ｂを備え、表側面４５６ｃと裏側面４５６ｂの後端縁には、表側面４５６ｃ及び裏側面４５６ｂと略９０゜の角度をもって連設された稜角面部４５６ｄが形成され、全体として断面略方形の角柱状に形成されている。
【００５５】
芯材４５０の戸先側芯材４５４は、表側面４５４ｂと裏側面４５４ａとの間において形成された段差部４５４ｃを備え、段差部４５４ｃは表側面４５４ａとの間において直交する第１貼着面４５４ｄ1を形成するように形成された第１角部４５４ｄと、第１角部４５４ｄより後端側に寄った位置において表側面４５４ｂとの間において斜交する第２貼着面４５４ｅ1を形成するように形成された第２角部４５４ｅと、第１角部４５４ｄとの間において直交する第１貼着面４５４ｄ1を形成するように形成された第３角部４５４ｆと、第１角部４５４ｄより後端側に寄った位置において、第１貼着面４５４ｄ1と直交し且つ第２貼着面４５４ｅ1と斜交する第３貼着面４５４ｇ1を形成するように形成された第１凹部４５４ｇとを備える。
芯材４５０の後端側芯材４５６は、裏側面４５６ｂと稜角面部４５６ｄとの境界の角部４５６ｅと、表側面４５６ｃと稜角面部４５６ｄとの境界の角部４５６ｆとを備える。
【００５６】
芯材４５０は、図１８で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材４５０は、左右一対の戸先側芯材４５４と後端側芯材４５６との間に架設体４５８が架け渡されてなり、戸先側芯材４５４がそり等の防止目的により単板積層材（ＬＶＬ；ラミネーテッドベニヤランバー）で形成されており、後端側芯材４５６と架設体４５８とがミディアム・デンシティ・ファイバーボード（ＭＤＦ）等で形成されている。
【００５７】
表面材４５２は、図１６及び図１７で示すように、可撓性を有し、その表面に天然木の木目調の印刷模様等の天然系素材に近い模様を有する表面シート４６０と、前記表面シート４６０の裏面側に設けられた第１表面板材４６２、第２表面板材４６４、第３表面板材４６６、第４表面板材４６８及び第５表面板材４７０とを有する。
前記第１表面板材４６２、第２表面板材４６４、第３表面板材４６６、第４表面板材４６８及び第５表面板材４７０は、少なくとも、芯材４５０の戸先側先端の表側面４５４ｂ、裏側面４５４ａ、第１貼着面４５４ｄ1、第２貼着面４５４ｅ1、及び第３貼着面４５４ｇ1の表面に対応した貼着面４６２ａ、貼着面４７０ａ、貼着面４６４ａ、貼着面４６８ａ及び貼着面４６６ａが形成されている。
【００５８】
第１表面板材４６２は、芯材４５０側の貼着面と表面シート４６０側の面とが平行な平面状に形成され、第２角部４５４ｅと角部４５６ｆとの間の長さ及び戸先側芯材４５４における表側面４５４ｂに対応した貼着面４６２ａが形成され、芯材４５０の前記第２角部４５４ｅ及び４５６ｆに対応した位置において、芯材４５０の貼着面に対応した貼着面４６２ａより表面シート４６０側の面に向けて断面Ｖ字型に切削されてなる斜め対向面４６２ｂ、斜め対向面４６２ｃが形成されている。
第２表面板材４６４は、芯材４５０側の貼着面４６４ａと表面シート４６０側の面とが平行な平面状に形成され、第１角部４５４ｄと第３角部４５４ｆとの間の長さ及び戸先側芯材４５４における第１貼着面４５４ｄ1に対応した貼着面４６４ａが形成され、芯材４５０の前記第１角部４５４ｄ及び第３角部４５４ｆに対応した位置において、芯材４５０の貼着面に対応した貼着面４６４ａより表面シート４６０側の面に向けて断面Ｖ字型に切削されてなる斜め対向面４６４ｂ、斜め対向面４６４ｃが形成されている。
第３表面板材４６６は、芯材４５０側の貼着面と表面シート４６０側の面とが平行な平面状に形成され、第３角部４５４ｆと第１凹部４５４ｇとの間の長さ及び戸先側芯材４５４における第３貼着面４５４ｇ1に対応した貼着面４６６ａが形成され、芯材４５０の前記第３角部４５４ｆ及び第１凹部４５４ｇに対応した位置において、芯材４５０の貼着面に対応した貼着面４６６ａより表面シート４６０側の面に向けて断面Ｖ字型に切削されてなる斜め対向面４６６ｂ、斜め対向面４６６ｃが形成されている。
第４表面板材４６８は、第１凹部４５４ｇと第２角部４５４ｅとの間の長さ及び戸先側芯材４５４における第２貼着面４５４ｅ1に対応した貼着面４６８ａが形成され、第１凹部４５４ｇ及び第２角部４５４ｅに対応した位置において、芯材４５０の貼着面に対応した貼着面４６８ａより表面シート４６０側に向けて断面Ｖ字型に切削されてなる対向面斜め対向面４６８ｂ、斜め対向面４６８ｃが形成されている。
【００５９】
第５表面板材４７０は、第１角部４５４ｄより後端側の戸先側芯材４５４の裏側面４５４ａに対応した貼着面４７０ａが形成され、第１角部４５４ｄに対応した位置において、芯材４５０の裏側面４５４ａに対応した貼着面４７０ａより表面シート４６０側に向けて断面Ｖ字型に切削されてなる斜め対向面４７０ｂが形成されるとともに、第８表面板材４７６との対向面４７０ｃが形成されている。
【００６０】
第６表面板材４７２は、芯材４５０の後端側芯材４５６の稜角面部４５６ｄ側の貼着面と表面シート４６０側の面とが平行な平面状に形成され、角部４５６ｅと角部４５６ｆとの間の長さ及び後端側芯材４５６における稜角面部４５６ｄに対応した貼着面４７２ａが形成され、芯材４５０の前記境界の角部４５６ｅ及び角部４５６ｆに対応した位置において、芯材４５０の貼着面に対応した貼着面４７２ａより表面シート４６０側の面に向けて断面Ｖ字型に切削されてなる斜め対向面４７２ｂ、斜め対向面４７２ｃが形成されている。
第７表面板材４７４は、芯材４５０側の貼着面と表面シート４６０側の面とが平行な平面状に形成され、角部４５６ｆより前端側の後端側芯材４５６の表側面４５６ｃに対応した貼着面４７２ａが形成され、芯材４５０の前記境界の角部４５６ｆに対応した位置において、芯材４５０の貼着面に対応した貼着面４７４ａより表面シート４６０側の面に向けて断面Ｖ字型に切削されてなる斜め対向面４７４ｂが形成されるとともに、第８表面板材４７６との対向面４７４ｃが形成されている。
第８表面板材４７６は、芯材４５０側の貼着面と表面シート４６０側の面とが平行な平面状に形成され、芯材４５０の戸先側芯材４５４及び後端側芯材４５６の前記裏面に対応した位置において、芯材４５０の戸先側芯材４５４及び後端側芯材４５６の貼着面に対応した貼着面４７６ａより表面シート４６０側の面に向けて切削されてなる対向面４７６ｂ、対向面４７６ｃが形成されている。
【００６１】
更に、第５表面板材４７０及び第２表面板材４６４は、図１６及び図１７において示すように、前記戸先側芯材４５４の境界の第１角部４５４ｄに対応した角度を有するその両端の斜め対向面４７０ｂと斜め対向面４６４ｃとを接近させるように表面シート４６０が折り曲げられ、第５表面板材４７０及び第２表面板材４６４は、戸先側芯材４５４の外表面の貼着面に貼着されて、前記隣り合う戸先に、前記第１面３４２ａが形成されている。
更に、第２表面板材４６４及び第３表面板材４６６は、図１６及び図１７において示すように、前記戸先側芯材４５４の段差４５４ｃに対応した角度を有するその両端の斜め対向面４６４ｂと斜め対向面４６６ｃとを接近させるように表面シート４６０が折り曲げられ、第２表面板材４６４及び第３表面板材４６６は、戸先側芯材４５４の外表面の貼着面に貼着されて、前記隣り合う戸先に、前記第３面３２８ａが形成されている。
更に、第３表面板材４６６及び第４表面板材４６８は、図１６及び図１７において示すように、前記戸先側芯材４５４の第１凹部４５４ｇに対応した角度を有するその両端の斜め対向面４６６ｂと斜め対向面４６８ｃとを拡開させるように表面シート４６０が折り曲げられ、第３表面板材４６６及び第４表面板材４６８は、戸先側芯材４５４の外表面の貼着面に貼着されて、前記隣り合う戸先に、前記第２面３４８ａが形成されている。
更に、第４表面板材４６８及び第１表面板材４６２は、図１６及び図１７において示すように、前記戸先側芯材４５４の第２角部４５４ｅに対応した角度を有するその両端の斜め対向面４６８ｂと斜め対向面４６２ｃとを接近させるように表面シート４６０が折り曲げられ、第４表面板材４６８及び第１表面板材４６２は戸先側芯材４５４の外表面の貼着面に貼着されて、引き違い戸３３２の平面状裏面が形成されている。
【００６２】
更に、第１表面板材４６２及び第６表面板材４７２は、図１６及び図１７において示すように、前記後端側芯材４５６の境界の角部４５６ｆに対応した角度を有するその両端の斜め対向面４６２ｂと斜め対向面４７２ｂとを接近させるように表面シート４６０が折り曲げられ、第１表面板材４６２及び第６表面板材４７２は、後端側芯材４５６の外表面の貼着面に貼着されて、後端側稜角面部を形成している。
【００６３】
第６表面板材４７２及び第７表面板材４７４は、斜め対向面４７２ｃ及び斜め対向面４７４ｂを接近させるようにして、後端側芯材４５６の裏面側の外表面に貼着されて、引き違い戸３３２の平面状裏面が形成されている。
更に、第８表面板材４７６と第５表面板材４７０及び第７表面板材４７４とは、対向面４７６ｃと対向面４７０ｃ及び対向面４７６ｂと対向面４７４ｃとが対向するようにして、戸先側芯材４５４及び後端側芯材４５６の裏面側の外表面の貼着面に貼着されて、引き違い戸３３２の平面状裏面が形成されている。
【００６４】
図１９ないし図２１は、この発明の一実施の形態である引き違い戸の断面図解図である。
図２２ないし図２５は、この発明の一実施の形態である戸を構成する芯材及び表面材の製造工程を示す図解図である。
【００６５】
この引き違い戸装置は、引き違い戸６１０を備え、引き違い戸６１０は、室内ドア、開閉間仕切りあるいはクローゼットドアーのドアーとして用いることができる。特にクローゼットドアーのドアーとして用いるに好適なものであり、閉じた位置において、並置された戸をフラット配置(平面配置)された複数の戸が、開閉時に、閉止位置と引き違い位置との間において斜め前方及び／又は斜め後方に移動し且つ一方が他方の前面において平行に往復移動するように形成されている。
引き違い戸６１０には、走行ユニットが取り付けられ、走行ユニットのレールに沿って走行させることによって、開閉時に、斜め前方及び／又は斜め後方に移動し且つ一方が他方の前面において平行に移動するように形成されている。
【００６６】
引き違い戸６１０は、左右一対で形成され、閉じた位置（閉止位置）においてフラット配置（平面配置）されたとき隣り合う引き違い戸６１０の部分的に重なり合う戸先が、引き違い時において障害となることなく前記斜め前方又は斜め後方に移動するための傾き部が形成されている。
【００６７】
すなわち、閉止位置から引き違い位置に移動させるときに斜め前方に移動する一方の引き違い戸６１２（すなわち引きスライド扉８０２）は、戸先部６１４の戸先側先端の傾き部を構成する段差部６１６と該戸先側先端の段差部６１６に続く表側面６１８との境界が円弧状に形成され、戸先側先端の段差部６１６と該戸先側先端の段差部６１６に続く裏側面６２０との境界の角度が鈍角に形成されるとともに、他方の引き違い戸６３２（すなわちスライド扉８０４）は、戸先部６３４の戸先側先端の傾き部を構成する段差部６３６と該戸先側先端の段差部６３６に続く表側面６３８との境界の角度が鈍角に形成され、戸先側先端の段差部６３６と該戸先側先端の段差部６３６に続く裏側面６４０との境界が円弧状に形成されている。
【００６８】
段差部６１６は、表側面６１８との間において交差する第１面６２２ａを形成するように形成された第１凸部６２２と、第１凸部６２２より後端側に寄った位置において、裏側面６２０との間において直交する第２面６２４ａを形成するように形成された第２凸部６２４と、引き違い戸６１２を引き違い戸６３２の前面において往復移動させる方向に沿い且つ第１面６２２ａと第２面６２４ａと交差する第３凸部６２６とを備える。
段差部６３６は、裏側面６４０との間において交差する第１面６４２ａを形成するように形成された第１凸部６４２と、第１凸部６４２より後端側に寄った位置において、表側面６３８との間において交差する第２面６４４ａを形成するように形成された第２凸部６４４と、引き違い戸６３２を引き違い戸６１２の後面において往復移動させる方向に沿い且つ第１面６４２ａと第２面６４４ａと交差する第３凸部６４６とを備える。
【００６９】
段差部６１６は、引き違い戸６１２を閉止位置から、引き違い位置に移動したときに接近する引き違い戸６３２の戸先部６３４における表面側の凸部、すなわち、引き違い戸６３２の段差部６３６と表面側との境界部とが接触しないように形成されている。
すなわち、閉止位置にある引き違い戸６１２の段差部６１６の引き違い戸６３２側の凸部、すなわち、段差部６１６の第１凸部６２２と、閉止位置にある引き違い戸６３２の戸先部６３４における表面側の凸部、すなわち、引き違い戸６３２の第２凸部６４４とは、それを結ぶ斜線が、引き違い戸６１２の閉止位置から引き違い位置に移動させる斜め方向とが略々近く、且つ、引き違い戸６１２を閉止位置から引き違い位置に移動したときに接触しないようにするための間隔をおいて、閉止位置に固定されるように形成されている。
【００７０】
引き違い戸６１２は、図１９ないし図２１で示すように、芯材６５０と芯材６５０の外表面を覆う表面材６５２とを有し、表面材６５２は、芯材６５０の表面すなわち戸先側芯材６５４と後端側芯材６５６との間に跨って、平面状に架設されている。
【００７１】
芯材６５０は、戸先側先端を形成する断面略Ｌ字型の角柱状戸先側芯材６５４と、引き違い戸６１０の後端側を形成する角柱状後端側芯材６５６とを有する。
戸先側芯材６５４は、戸先側先端に段差部６５４ｃが形成され、該戸先側先端の段差部６５４ｃに続く表側面６５４ａ及び裏側面６５４ｂが略平面に形成されている。
前記戸先側芯材６５４は、略平面状表側面６５４ａに円弧状に連設された第１角部６５４ｄと、略平面状裏側面６５４ｂに鈍角をもって連設された第２角部６５４ｅと、裏側面６５４ａから第１角部６５４ｄを経て且つ第２角部６５４ｅを経て裏側面６５４ｂに到る段差部６５４ｃとを有する。
後端側芯材６５６は、戸先側芯材６５４の表側面６５４ａと裏側面６５４ｂとの間の長さと同一の長さの厚さを有し、略平面状の表側面６５６ｂと略平面状の裏側面６５６ｃを備え、表側面６５６ｂと裏側面６５６ｃの後端縁には、表側面６５６ｂ及び裏側面６５６ｃと略９０゜の角度をもって連設された稜角面部６５６ｄが形成され、全体として断面略方形の角柱状に形成されている。
【００７２】
芯材６５０の戸先側芯材６５４は、表側面６５４ａと裏側面６５４ｂとの間において形成された段差部６５４ｃを備え、段差部６５４ｃは表側面６５４ａとの間において交差する第１貼着面６５４ｄ1を形成するように形成された第１角部６５４ｄと、第１角部６５４ｄより後端側に寄った位置において裏側面６５４ｂとの間において鈍角で交差する第２貼着面６５４ｅ1を形成するように形成された第２角部６５４ｅと、第１角部６５４ｄとの間において円弧状の第１貼着面６５４ｄ1を形成するように形成された第３角部６５４ｆとを備える。
芯材６５０の後端側芯材６５６は、表側面６５６ｂと稜角面部６５６ｄとの境界の角部６５６ｅと、裏側面６５６ｃと稜角面部６５６ｄとの境界の角部６５６ｆとを備える。
【００７３】
芯材６５０は、図２６で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材６５０は、左右一対の戸先側芯材６５４と後端側芯材６５６との間に架設体６５８が架け渡されてなり、戸先側芯材６５４がそり等の防止目的により単板積層材（ＬＶＬ；ラミネーテッドベニヤランバー）で形成されており、後端側芯材６５６と架設体６５８とがミディアム・デンシティ・ファイバーボード（ＭＤＦ）等で形成されている。
【００７４】
表面材６５２は、図１９ないし図２５で示すように、可撓性を有し、その表面に天然木の木目調の印刷模様等の天然系素材に近い模様を有する表面シート６６０と、前記表面シート６６０の裏面側に設けられた第１表面板材６６２、第２表面板材６６４、第３表面板材６６６及び第５表面板材６７０とを有する。
前記第１表面板材６６２、第２表面板材６６４、第３表面板材６６６及び第５表面板材６７０は、少なくとも、芯材６５０の戸先側先端の裏側面６５４ａ、表側面６５４ｂ、第１貼着面６５４ｄ1及び第２貼着面６５４ｅ1の表面に対応した貼着面６６２ａ、貼着面６７０ａ、貼着面６６４ａ及び貼着面６６６ａが形成されている。
【００７５】
第１表面板材６６２は、芯材６５０側の貼着面と表面シート６６０側の面とが平行な平面状に形成され、第１角部６５４ｄと角部６５６ｅとの間の長さ及び戸先側芯材６５４における表側面６５４ａに対応した貼着面６６２ａが形成され、芯材６５０の前記第１角部６５４ｄ及び角部６５６ｅに対応した位置において、芯材６５０の貼着面に対応した貼着面６６２ａより表面シート６６０側の面に向けて断面Ｕ字型に切削されてなる対向面６６２ｂ、斜め対向面６６２ｃが形成されている。
【００７６】
第２表面板材６６４は、芯材６５０側の貼着面６６４ａと表面シート６６０側の面とが平行な平面状に形成され、第１角部６５４ｄと第３角部６５４ｆとの間の長さ及び戸先側芯材６５４における第１貼着面６５４ｄ1に対応した貼着面６６４ａが形成され、芯材６５０の前記第１角部６５４ｄ及び第３角部６５４ｆに対応した位置において、芯材６５０の円弧状貼着面に対応した貼着面６６４ａより表面シート６６０側の面に向けて断面Ｕ字型に切削されてなる対向面６６４ｂ、対向面６６４ｃが形成されている。
第３表面板材６６６は、芯材６５０側の貼着面と表面シート６６０側の面とが平行な平面状に形成され、第３角部６５４ｆと第２角部６５４ｅとの間の長さ及び戸先側芯材６５４における第２貼着面６５４ｅ1に対応した貼着面６６６ａが形成され、芯材６５０の前記第３角部６５４ｆ及び第２角部６５４ｅに対応した位置において、芯材６５０の貼着面に対応した貼着面６６６ａより表面シート６６０側の面に向けて断面Ｖ字型に切削されてなる斜め対向面６６６ｂ及び断面Ｕ字型に切削されてなる対向面６６６ｃが形成されている。
【００７７】
第５表面板材６７０は、第２角部６５４ｅより後端側の戸先側芯材６５４の裏側面６５４ｂに対応した貼着面６７０ａが形成され、第２角部６５４ｅに対応した位置において、芯材６５０の裏側面６５４ｂに対応した貼着面６７０ａより表面シート６６０側に向けて断面Ｖ字型に切削されてなる斜め対向面６７０ｃが形成されるとともに、第８表面板材６７６との対向面６７０ｂが形成されている。
【００７８】
第６表面板材６７２は、芯材６５０の後端側芯材６５６の稜角面部６５６ｄ側の貼着面と表面シート６６０側の面とが平行な平面状に形成され、角部６５６ｅと角部６５６ｆとの間の長さ及び後端側芯材６５６における稜角面部６５６ｄに対応した貼着面６７２ａが形成され、芯材６５０の前記境界の角部６５６ｅ及び角部６５６ｆに対応した位置において、芯材６５０の貼着面に対応した貼着面６７２ａより表面シート６６０側の面に向けて断面Ｖ字型に切削されてなる斜め対向面６７２ｂ、斜め対向面６７２ｃが形成されている。
第７表面板材６７４は、芯材６５０側の貼着面と表面シート６６０側の面とが平行な平面状に形成され、角部６５６ｆより前端側の後端側芯材６５６の裏側面６５６ｃに対応した貼着面６７４ａが形成され、芯材６５０の前記境界の角部６５６ｆに対応した位置において、芯材６５０の貼着面に対応した貼着面６７４ａより表面シート６６０側の面に向けて断面Ｖ字型に切削されてなる斜め対向面６７４ｂが形成されるとともに、第８表面板材６７６との対向面６７４ｃが形成されている。
第８表面板材６７６は、芯材６５０側の貼着面と表面シート６６０側の面とが平行な平面状に形成され、芯材６５０の戸先側芯材６５４及び後端側芯材６５６の前記裏面に対応した位置において、芯材６５０の戸先側芯材６５４及び後端側芯材６５６の貼着面に対応した貼着面６７６ａより表面シート６６０側の面に向けて切削されてなる対向面６７６ｂ、対向面６７６ｃが形成されている。
【００７９】
更に、第１表面板材６６２及び第２表面板材６６４は、図２２及び図２３において示すように、前記戸先側芯材６５４の境界の第１角部６５４ｄ及び第１貼着面６５４ｄ1に対応した角度を有するその両端の対向面６６２ｂと対向面６６４ｃとを接近させるように表面シート６６０が折り曲げられ、第１表面板材６６２及び第２表面板材６６４は、戸先側芯材６５４の外表面の貼着面たる第１貼着面６５４ｄ1に貼着されて、前記隣り合う戸先に、前記第１面６２２ａが形成されている。
更に、第２表面板材６６４及び第３表面板材６６６は、図２２及び図２３において示すように、前記戸先側芯材６５４の第３角部６５４ｆに対応した角度を有するその両端の斜め対向面６６４ｂと斜め対向面６６６ｃとを接近させるように表面シート６６０が折り曲げられ、第２表面板材６６４及び第３表面板材６６６は、戸先側芯材６５４の外表面の貼着面たる第２貼着面６５４ｅ1に貼着されて、前記隣り合う戸先に、前記第３面６２８ａが形成されている。
更に、第３表面板材６６６及び第５表面板材６７０は、図２２及び図２３において示すように、前記戸先側芯材６５４の第２角部６５４ｅに対応した角度を有するその両端の斜め対向面６６６ｂと斜め対向面６７０ｃとを接近させるように表面シート６６０が折り曲げられ、第３表面板材６６６及び第５表面板材６７０は戸先側芯材６５４の外表面の貼着面たる表側面６５４ｂに貼着されて、引き違い戸６１２の平面状裏面が形成されている。
【００８０】
更に、第１表面板材６６２及び第６表面板材６７２は、図２２及び図２３において示すように、前記後端側芯材６５６の境界の角部６５６ｅに対応した角度を有するその両端の斜め対向面６６２ｃと斜め対向面６７２ｂとを接近させるように表面シート６６０が折り曲げられ、第１表面板材６６２及び第６表面板材６７２は、後端側芯材６５６の外表面の貼着面に貼着されて、後端側稜角面部を形成している。
【００８１】
第６表面板材６７２及び第７表面板材６７４は、斜め対向面６７２ｃ及び斜め対向面６７４ｂを接近させるようにして、後端側芯材６５６の裏面側の外表面に貼着されて、引き違い戸６１２の平面状裏面が形成されている。
更に、第８表面板材６７６と第５表面板材６７０及び第７表面板材６７４とは、対向面６７６ｂと対向面６７０ｂ及び対向面６７６ｃと対向面６７４ｃとが対向するようにして、戸先側芯材６５４及び後端側芯材６５６の裏面側の外表面の貼着面に貼着されて、引き違い戸６１２の平面状裏面が形成されている。
【００８２】
もう一方の引き違い戸６３２は、図２０、２１及び２２で示すように、芯材７５０と芯材７５０の外表面を覆う表面材７５２とを有し、表面材７５２は、芯材７５０の表面すなわち戸先側芯材７５４と後端側芯材７５６との間に跨って、平面状に架設されている。
【００８３】
芯材７５０は、戸先側先端を形成する断面略Ｌ字型の角柱状戸先側芯材７５４と、引き違い戸６１０の後端側を形成する角柱状後端側芯材７５６とを有する。
戸先側芯材７５４は、戸先側先端に段差部７５４ｃが形成され、該戸先側先端の段差部７５４ｃに続く表側面７５４ｂ及び裏側面７５４ａが略平面に形成されている。
前記戸先側芯材７５４は、略平面状裏側面７５４ａに円弧状に連設された第１角部７５４ｄと、略平面状表側面７５４ｂに鈍角をもって連設された第２角部７５４ｅと、裏側面７５４ａから第１角部７５４ｄを経て且つ第２角部７５４ｅを経て表側面７５４ｂに到る段差部７５４ｃとを有する。
後端側芯材７５６は、戸先側芯材７５４の表側面７５４ｂと裏側面７５４ａとの間の長さと同一の長さの厚さを有し、略平面状の表側面７５６ｃと略平面状の裏側面７５６ｂを備え、表側面７５６ｃと裏側面７５６ｂの後端縁には、表側面７５６ｃ及び裏側面７５６ｂと略９０゜の角度をもって連設された稜角面部７５６ｄが形成され、全体として断面略方形の角柱状に形成されている。
【００８４】
芯材７５０の戸先側芯材７５４は、表側面７５４ｂと裏側面７５４ａとの間において形成された段差部７５４ｃを備え、段差部７５４ｃは表側面７５４ｂとの間において交差する第１貼着面７５４ｄ1を形成するように形成された第１角部７５４ｄと、第１角部７５４ｄより後端側に寄った位置において表側面７５４ｂとの間において鈍角で交差する第２貼着面７５４ｅ1を形成するように形成された第２角部７５４ｅと、第１角部７５４ｄとの間において円弧状の第１貼着面７５４ｄ1を形成するように形成された第３角部７５４ｆとを備える。
芯材７５０の後端側芯材７５６は、裏側面７５６ｂと稜角面部７５６ｄとの境界の角部７５６ｅと、表側面７５６ｃと稜角面部７５６ｄとの境界の角部７５６ｆとを備える。
【００８５】
芯材７５０は、図２６で示すように、単板積層材（ＬＶＬ；ラミネーテッドベニヤランバー）、ミディアム・デンシティ・ファイバーボード（ＭＤＦ）、パーティクルボード等が略角柱状に成形され、この芯材７５０は、左右一対の戸先側芯材７５４と後端側芯材７５６との間に架設体７５８が架け渡されてなり、戸先側芯材７５４がそり等の防止目的により単板積層材（ＬＶＬ；ラミネーテッドベニヤランバー）で形成されており、後端側芯材７５６と架設体７５８とがミディアム・デンシティ・ファイバーボード（ＭＤＦ）等で形成されている。
【００８６】
表面材７５２は、図２４及び図２５で示すように、可撓性を有し、その表面に天然木の木目調の印刷模様等の天然系素材に近い模様を有する表面シート７６０と、前記表面シート７６０の裏面側に設けられた第１表面板材７６２、第２表面板材７６４、第３表面板材７６６及び第５表面板材７７０とを有する。
前記第１表面板材７６２、第２表面板材７６４、第３表面板材７６６及び第５表面板材７７０は、少なくとも、芯材７５０の戸先側先端の表側面７５４ｂ、裏側面７５４ａ、第１貼着面７５４ｄ1及び第２貼着面７５４ｅ1の表面に対応した貼着面７６２ａ、貼着面７７０ａ、貼着面７６４ａ及び貼着面７６６ａが形成されている。
【００８７】
第１表面板材７６２は、芯材７５０側の貼着面と表面シート７６０側の面とが平行な平面状に形成され、第２角部７５４ｅと角部７５６ｆとの間の長さ及び戸先側芯材７５４における表側面７５４ｂに対応した貼着面７６２ａが形成され、芯材７５０の前記第２角部７５４ｅ及び角部７５６ｆに対応した位置において、芯材７５０の貼着面に対応した貼着面７６２ａより表面シート７６０側の面に向けて断面Ｖ字型に切削されてなる対向面７６２ｂ、斜め対向面７６２ｃが形成されている。
【００８８】
第２表面板材７６４は、芯材７５０側の貼着面７６４ａと表面シート７６０側の面とが平行な平面状に形成され、第１角部７５４ｄと第３角部７５４ｆとの間の長さ及び戸先側芯材７５４における第１貼着面７５４ｄ1に対応した貼着面７６４ａが形成され、芯材７５０の前記第１角部７５４ｄ及び第３角部７５４ｆに対応した位置において、芯材７５０の円弧状貼着面に対応した貼着面７６４ａより表面シート７６０側の面に向けて断面Ｖ字型に切削されてなる対向面７６４ｂ、対向面７６４ｃが形成されている。
第３表面板材７６６は、芯材７５０側の貼着面と表面シート７６０側の面とが平行な平面状に形成され、第３角部７５４ｆと第２角部７５４ｅとの間の長さ及び戸先側芯材７５４における第２貼着面７５４ｅ1に対応した貼着面７６６ａが形成され、芯材７５０の前記第３角部７５４ｆ及び第２角部７５４ｅに対応した位置において、芯材７５０の貼着面に対応した貼着面７６６ａより表面シート７６０側の面に向けて断面Ｖ字型に切削されてなる斜め対向面７６６ｂ及び断面Ｖ字型に切削されてなる対向面７６６ｃが形成されている。
【００８９】
第５表面板材７７０は、第１角部７５４ｄより後端側の戸先側芯材７５４の裏側面７５４ａに対応した貼着面７７０ａが形成され、第１角部７５４ｄに対応した位置において、芯材７５０の裏側面７５４ａに対応した貼着面７７０ａより表面シート７６０側に向けて断面Ｖ字型に切削されてなる斜め対向面７７０ｂが形成されるとともに、第８表面板材７７６との対向面７７０ｃが形成されている。
【００９０】
第６表面板材７７２は、芯材７５０の後端側芯材７５６の稜角面部７５６ｄ側の貼着面と表面シート７６０側の面とが平行な平面状に形成され、角部７５６ｅと角部７５６ｆとの間の長さ及び後端側芯材７５６における稜角面部７５６ｄに対応した貼着面７７２ａが形成され、芯材７５０の前記境界の角部７５６ｅ及び角部７５６ｆに対応した位置において、芯材７５０の貼着面に対応した貼着面７７２ａより表面シート７６０側の面に向けて断面Ｖ字型に切削されてなる斜め対向面７７２ｂ、斜め対向面７７２ｃが形成されている。
第７表面板材７７４は、芯材７５０側の貼着面と表面シート７６０側の面とが平行な平面状に形成され、角部７５６ｅより前端側の後端側芯材７５６の裏側面７５６ｂに対応した貼着面７７４ａが形成され、芯材７５０の前記境界の角部７５６ｅに対応した位置において、芯材７５０の貼着面に対応した貼着面７７４ａより表面シート７６０側の面に向けて断面Ｖ字型に切削されてなる斜め対向面７７４ｂが形成されるとともに、第８表面板材７７６との対向面７７４ｃが形成されている。
第８表面板材７７６は、芯材７５０側の貼着面と表面シート７６０側の面とが平行な平面状に形成され、芯材７５０の戸先側芯材７５４及び後端側芯材７５６の前記裏面に対応した位置において、芯材７５０の戸先側芯材７５４及び後端側芯材７５６の貼着面に対応した貼着面７７６ａより表面シート７６０側の面に向けて切削されてなる対向面７７６ｂ、対向面７７６ｃが形成されている。
【００９１】
更に、第５表面板材７７０及び第２表面板材７６４は、図２４及び図２５において示すように、前記戸先側芯材７５４の境界の第１角部７５４ｄ及び第１貼着面７５４ｄ1に対応した角度を有するその両端の対向面７７０ｂと対向面７６４ｃとを接近させるように表面シート７６０が折り曲げられ、第１表面板材７７０及び第２表面板材７６４は、戸先側芯材７５４の外表面の貼着面たる第１貼着面７５４ｄ1に貼着されて、前記隣り合う戸先に、前記第１面６４２ａが形成されている。
更に、第２表面板材７６４及び第３表面板材７６６は、図２４及び図２５において示すように、前記戸先側芯材７５４の第３角部７５４ｆに対応した角度を有するその両端の斜め対向面７６４ｂと斜め対向面７６６ｃとを接近させるように表面シート７６０が折り曲げられ、第２表面板材７６４及び第３表面板材７６６は、戸先側芯材７５４の外表面の貼着面たる第２貼着面７５４ｅ1に貼着されて、前記隣り合う戸先に、前記第３面６４８ａが形成されている。
更に、第３表面板材７６６及び第１表面板材７６２は、図２４及び図２５において示すように、前記戸先側芯材７５４の第２角部７５４ｅに対応した角度を有するその両端の斜め対向面７６６ｂと斜め対向面７６２ｃとを接近させるように表面シート７６０が折り曲げられ、第４表面板材７６６及び第１表面板材７６２は戸先側芯材７５４の外表面の貼着面たる表側面７５４ｂに貼着されて、引き違い戸６１２の平面状表面が形成されている。
【００９２】
更に、第１表面板材７６２及び第６表面板材７７２は、図２４及び図２５において示すように、前記後端側芯材７５６の境界の角部７５６ｆに対応した角度を有するその両端の斜め対向面７６２ｂと斜め対向面７７２ｂとを接近させるように表面シート７６０が折り曲げられ、第１表面板材７６２及び第６表面板材７７２は、後端側芯材７５６の外表面の貼着面に貼着されて、後端側稜角面部を形成している。
【００９３】
第６表面板材７７２及び第７表面板材７７４は、斜め対向面７７２ｃ及び斜め対向面７７４ｂを接近させるようにして、後端側芯材７５６の裏面側の外表面に貼着されて、引き違い戸６１２の平面状裏面が形成されている。
更に、第８表面板材７７６と第５表面板材７７０及び第７表面板材７７４とは、対向面７７６ｂと対向面７７０ｂ及び対向面７７６ｃと対向面７７４ｃとが対向するようにして、戸先側芯材７５４及び後端側芯材７５６の裏面側の外表面の貼着面に貼着されて、引き違い戸６１２の平面状裏面が形成されている。
【００９４】
なお、引き違い戸６１２及び引き違い戸６３２は、図２７ないし図２９に示すように変更してもよい。
図２７ないし図２９図示引き違い戸６１２は、戸先側芯材６５４の第１貼着面６５４ｄ1が、鋭角状に形成され、戸先側芯材６５４の表側面６５４ａと段差部６５４ｃとの間に第１角部６５４ｄのみが形成され、引き違い戸６３２も同様に形成されている。
そして、それに伴い、第２表面板材６６４はなく、第１表面板材６６２の斜め対向面６６２ｂと、第３表面板材６６６の斜め対向面６６６ｃとの間に、戸先側芯材６５４の表側面６５４ａと段差部６５４ｃとの間に形成された第１角部６５４ｄの角度（約５０°）に対応した鈍角（約１３０°）の断面略Ｖ字溝が形成された表面材６５０を、戸先側芯材６５４の表面に貼着されてなる。
また、図１９図示引き違い戸６１２及び引き違い戸６３２は、傾き部を構成する段差部６１６と表側面６１８とのなす角度を変更してもよく、例えば、図２７図示引き違い戸６１２のように、戸先部６１４及び戸先部６３４を、段差部６１６と表側面６１８とのなす角度を約５０°とし、第１貼着面６５４ｄ1もそれに対応した円弧状にしてもよい。
また、図２７ないし図２９に示すように、引き違い戸６１２と引き違い戸６３２とが閉鎖時に重なり合うときにおいて戸先部６１４の前面を上端から下端に亘って覆う、いわゆる召合せ棒（かまち）６９０を取り付けてもよい。
【００９５】
次に、前記した引き違い戸の製造方法について、主として図４ないし図１０に基づいて説明する。
まず、単板積層材（ＬＶＬ；ラミネーテッドベニヤランバー）からなる戸先側芯材５４、ミディアム・デンシティ・ファイバーボード（ＭＤＦ）と単板積層材（ＬＶＬ；ラミネーテッドベニヤランバー）からなる後端側芯材５６との間に、ミディアム・デンシティ・ファイバーボード（ＭＤＦ）、パーティクルボードからなる架設体５８を固定して、芯材５０を準備する。
いずれにしても、この芯材５０は、芯材全体の反りを防止することができるようにしなければならないので、単板積層材が適しているが、その他この単板積層材とファイバーボード，パーティクルボードを混ぜて用いるようにしてもよい。
【００９６】
次に、断面略台形状の第１表面板材６２、第２表面板材６４、第３表面板材６６、第４表面板材６８、第５表面板材７０及び第６表面板材７２の材料となるたとえばミディアム・デンシティ・ファイバーボード（ＭＤＦ）の板材からなる表面板材素材８０を準備し、その一方表面に塩化ビニル，オレフィンなどの可撓性を有する表面シート６０を貼着する。
そして、表面シート６０に向けて表面シート６０の裏面に達する深さで、表面板材素材８０に、前記芯材５０の境界の角部５４ｅ、角部５４ｆ、角部５４ｄ、角部５６ｅ及び角部５６ｆに対応した傾斜角のＶカット加工を施して、その両端に斜め対向面７０ｃ、斜め対向面６８ｂ、斜め対向面６６ｃ、斜め対向面６４ｂ、斜め対向面６４ｃ、斜め対向面６２ｂ、斜め対向面６２ｃ、斜め対向面７２ｂ、斜め対向面７２ｃ、斜め対向面７４ｂを形成する。
Ｖカット加工とは、表面板材素材８０の裏面から断面Ｖ字型の溝を表面シート６０の寸前まで切削し、断面Ｖ字型の溝を作る方法をいう。
Ｖカット加工を施す位置は、芯材５０の各角部５４ｅ、角部５４ｆ、角部５４ｄ、角部５６ｅ及び角部５６ｆ間の長さに対応した位置とし、Ｖカット加工を施して形成されるＶ字溝によって形成される斜め対向面７０ｃと斜め対向面６８ｂ、斜め対向面６６ｃと斜め対向面６４ｂ、斜め対向面６４ｃと斜め対向面６２ｂ、斜め対向面６２ｃと斜め対向面７２ｂ、斜め対向面７２ｃと斜め対向面７４ｂのなす角度は、芯材５０の角部５４ｅ、角部５４ｆ、角部５４ｄ、角部５６ｅ及び角部５６ｆに対応した傾斜角を構成するようにＶカット加工を施す。
たとえば、芯材５０の角部５４ｅに対応する斜め対向面７０ｃと斜め対向面６８ｂとのなすＶ字溝は、９０°の二等辺三角形で、芯材５０の角部５４ｆに対応する斜め対向面６６ｃと斜め対向面６４ｂとのなすＶ字溝は、９０°の二等辺三角形で、芯材５０の角部５４ｄに対応する斜め対向面６４ｃと斜め対向面６２ｂとのなすＶ字溝は、９０°の二等辺三角形である。
【００９７】
而して、一枚の表面シート６０の裏面に、第１表面板材６２，第２表面板材６４，第５表面板材７０，第６表面板材７２及び第７表面板材７４が貼着された、表面材５２が形成される。
そして、前記断面略台形状の第１表面板材６２は、角柱状芯材５０の表側面５４ａ及び表側面５６ｂの長さおよび外周面に一致した貼着面６２ａが形成され、該貼着面６２ａより斜めに拡開する斜め対向面６２ｂ，斜め対向面６２ｃが形成される。
【００９８】
第１表面板材６２を、芯材５０の戸先側芯材５４及び後端側芯材５６の表面側表面に結合させ、斜め対向面６２ｂを戸先側芯材５４の角部５４ｄに合致させ且つ斜め対向面６２ｃを後端側芯材５６の角部５６ｅに合致させて、接着剤で貼着する。
次に、図６に示すように、第２表面板材６４を、戸先側芯材５４の第１貼着面５４ｄ1の表面に接合させ、斜め対向面６４ｃを、角部５４ｄに合致させ且つ斜め対向面６４ｂを角部５４ｆに合致させて、接着剤で貼着する。
次に、図４ないし図６に示すように、芯材５０の外周面を被覆するために、芯材５０の第３貼着面５４ｇ1に断面略台形状の第３表面板材６６の貼着面６６ａを接合させ、斜め対向面６６ｂを戸先側芯材５４の第１凹部５４ｇに合致させて貼着する。
すなわち、断面略台形状の第３表面板材６６の貼着面６６ａ（表面シート６０が貼着された面とは反対側の面）を芯材５０の第３貼着面５４ｇ1に対応させて適宜接着剤で接着する。
次に、図６に示すように、第４表面板材６８を芯材５０の第２貼着面５４ｅ1に対応させ斜め対向面６６ｂと斜め対向面６８ｃとを拡開して、第４表面板材６８を適宜接着剤で第２貼着面５４ｅ1に接着する。
また、第６表面板材７２を、後端側芯材５６の稜角面部５６ｄの表面に接合させ、斜め対向面７２ｂを角部５６ｅに合致させ且つ斜め対向面７２ｃを角部５６ｆに合致させて、接着剤で貼着する。更に、第７表面板材７４を、後端側芯材５６の裏側面５６ｃの表面に接合させ、斜め対向面７２ｂを角部５６ｆに合致させて接着剤で貼着する。
更に第８表面板材７６を戸先側芯材５４及び後端側芯材５６の裏面側表面に接合させ、対向面７６ｂを第５表面板材７０の対向面７０ｂに対向させ且つ対向面７６ｃを第７表面板材７４の対向面７４ｃに対向させて、接着剤で貼着する。
【００９９】
次に、引き違い戸３２を製造するために、断面略台形状の第１表面板材１６２、第２表面板材１６４、第３表面板材１６６、第４表面板材１６８、第５表面板材１７０及び第６表面板材１７２の材料となるたとえばミディアム・デンシティ・ファイバーボード（ＭＤＦ）の板材からなる表面板材素材１８０を準備し、その一方表面に塩化ビニル，オレフィンなどの可撓性を有する表面シート１６０を貼着する。
そして、表面シート１６０に向けて表面シート１６０の裏面に達する深さで、表面板材素材１８０に、前記芯材１５０の境界の角部１５４ｅ、角部１５４ｆ、角部１５４ｄ、角部１５６ｅ及び角部１５６ｆに対応した傾斜角のＶカット加工を施して、その両端に斜め対向面１６２ｃ、斜め対向面１６８ｂ、斜め対向面１６６ｃ、斜め対向面１６４ｂ、斜め対向面１６４ｃ、斜め対向面１７０ｂ、斜め対向面１６２ｂ、斜め対向面１７２ｂ、斜め対向面１７２ｃ、斜め対向面１７４ｂを形成する。
Ｖカット加工とは、表面板材素材１８０の裏面から断面Ｖ字型の溝を表面シート１６０の寸前まで切削し、断面Ｖ字型の溝を作る方法をいう。
Ｖカット加工を施す位置は、芯材１５０の各角部１５４ｅ、角部１５４ｆ、角部１５４ｄ、角部１５６ｅ及び角部１５６ｆ間の長さに対応した位置とし、Ｖカット加工を施して形成されるＶ字溝によって形成される斜め対向面１６２ｃと斜め対向面１６８ｂ、斜め対向面１６６ｃと斜め対向面１６４ｂ、斜め対向面１６４ｃと斜め対向面１７０ｂ、斜め対向面１６２ｂと斜め対向面１７２ｂ、斜め対向面１７２ｃと斜め対向面１７４ｂのなす角度は、芯材１５０の角部１５４ｅ、角部１５４ｆ、角部１５４ｄ、角部１５６ｆ及び角部１５６ｅに対応した傾斜角を構成するようにＶカット加工を施す。
たとえば、芯材１５０の角部１５４ｅに対応する斜め対向面１６２ｃと斜め対向面１６８ｂとのなすＶ字溝は、９０°の二等辺三角形で、芯材１５０の角部１５４ｆに対応する斜め対向面１６６ｃと斜め対向面１６４ｂとのなすＶ字溝は、９０°の二等辺三角形で、芯材１５０の角部１５４ｄに対応する斜め対向面１６４ｃと斜め対向面１７０ｂとのなすＶ字溝は、９０°の二等辺三角形である。
【０１００】
而して、一枚の表面シート１６０の裏面に、第１表面板材１６２，第２表面板材１６４，第５表面板材１７０，第６表面板材１７２及び第７表面板材１７４が貼着された、表面材１５２が形成される。
そして、前記断面略台形状の第１表面板材１６２は、角柱状芯材１５０の表側面１５４ｂ及び表側面１５６ｃの長さおよび外周面に一致した貼着面１６２ａが形成され、該貼着面１６２ａより斜めに拡開する斜め対向面１６２ｂ，斜め対向面１６２ｃが形成される。
【０１０１】
第１表面板材１６２を、図９に示すように、芯材１５０の戸先側芯材１５４及び後端側芯材１５６の表面側表面に結合させ、斜め対向面１６２ｃを戸先側芯材１５４の角部１５４ｅに合致させ且つ斜め対向面１６２ｂを後端側芯材１５６の角部１５６ｆに合致させて、接着剤で貼着する。
次に、図１０に示すように、第４表面板材１６８を、戸先側芯材１５４の第２貼着面１５４ｅ1の表面に接合させ、斜め対向面１６８ｂを、角部１５４ｅに合致させ且つ斜め対向面１６８ｃを第１凹部１５４ｇに合致させ斜め対向面１６８ｃと斜め対向面１６６ｂとを拡開して、接着剤で貼着する。
次に、図８ないし図１０に示すように、芯材１５０の外周面を被覆するために、芯材１５０の第３貼着面１５４ｇ1に断面略台形状の第３表面板材１６６の貼着面１６６ａを接合させ、斜め対向面１６８ｃと斜め対向面１６６ｂとを拡開して戸先側芯材１５４の第３貼着面１５４ｇ1に合致させて貼着する。
すなわち、断面略台形状の第３表面板材１６６の貼着面１６６ａ（表面シート１６０が貼着された面とは反対側の面）を芯材１５０の第３貼着面１５４ｇ1に対応させて適宜接着剤で接着する。
次に、図１０に示すように、第２表面板材１６４を芯材１５０の裏面に接合させ、斜め対向面１６４ｂを角部１５４ｆに合致させて、第２表面板材１６４を適宜接着剤で接着する。
また、第６表面板材１７２を、後端側芯材１５６の稜角面部１５６ｄの表面に接合させ、斜め対向面１７２ｂを角部１５６ｆに合致させ且つ斜め対向面１７２ｃを角部１５６ｅに合致させて、接着剤で貼着する。更に、第７表面板材１７４を後端側芯材１５６の裏側面１５６ｂの表面に接合させ、斜め対向面１７４ｂを角部１５６ｅに合致させて接着剤で接着する。
更に第８表面板材１７６を戸先側芯材１５４及び後端側芯材１５６の裏面側表面に接合させ、対向面１７６ｃを第５表面板材１７０の対向面１７０ｃに対向させ且つ対向面１７６ｂを第７表面板材１７４の対向面１７４ｃに対向させて、接着剤で貼着する。
【０１０２】
この引き違い戸１０の引き違い装置について、主として図３１ないし図４１に基づいて説明する。
この引き違い戸１０は、引きスライド扉２０２とスライド扉２０４とによって一組の引き違い戸が構成され、引きスライド扉２０２とスライド扉２０４とは、閉める状態においてはフラット面を構成し、両引き違い戸の各表面が面一に並ぶ状態となるように構成されている。
引き違い状態のときは、引きスライド扉２０２は、引きスライド扉２０２の前面に平行移動するように構成され、後ろ側のスライド扉２０４は、引きスライド扉２０２の後ろ側に平行移動するように構成されている。
【０１０３】
引きスライド扉２０２は、その上部において左右二箇所に分かれて設けられた上扉支持体２１２と下扉支持体２１４とを備えている。
【０１０４】
また、スライド扉２０４は、その上部において左右に分かれて設けられた上扉支持体２１６とその下部において左右に分かれて設けられた下扉支持体２１８とを備える。
【０１０５】
引きスライド扉２０２の上扉支持体２１２及びスライド扉２０４の上扉支持体２１６は、上レール装置２２０に移動自在に固定され、引きスライド扉２０２の下扉支持体２１４及びスライド扉２０４の下扉支持体２１８は、下レール装置２４０に移動自在に固定される。
上レール装置２２０は、住宅の開口部又はクローゼット等の家具の開口部の上横材に敷設され、下レール装置２４０は、住宅の開口部又はクローゼット等の家具の開口部の下横材に敷設される。
【０１０６】
上レール装置２２０は、上横材の下面に固定されたレールブラケット２２２を備え、レールブラケット２２２の前側には、上・前ガイドレール２２４を備え、上・前ガイドレール２２４は、横方向に掛け渡された上ガイドレール支持体２２６に前後方向に回動自在に固定される。
【０１０７】
上扉支持体２１２は、引きスライド扉２０２の上部に固定された支持腕２１２ａの上部に回転自在に固定されたローラ２１２ｂと、支持腕２１２ａの上部に固定された案内体２１２ｃと備える。
上扉支持体２１２のローラ２１２ｂは、上・前ガイドレール２２４の上部に移動自在に支持されている。
また、上扉支持体２１２の案内体２１２ｃは、上横材の終端、この実施の形態においては右端に設けられたレールロック機構２２８を構成する案内ブロック２３２のガイド溝２３２ａに嵌合される。案内ブロック２３２は、レールブラケット２２２に枢軸２３２ｂによって上下方向に回動自在に固定されており、上扉支持体２１２の案内体２１２ｃは、案内ブロック２３２のガイド溝２３２ａによって右端に至るに従って奥側に向けて移動されるとともに、ガイド溝２３２ａに沿って奥に向かうに従って案内体２１２ｃが上方に案内ブロック２３２を持ち上げるように、移動する。
【０１０８】
上・前ガイドレール２２４は、上扉支持体２１２の案内体２１２ｃが案内ブロック２３２のガイド溝２３２ａに沿って奥側に向けて案内されるにしたがって、案内ブロック２３２が上ガイドレール支持体２２６において奥側に向けて回動する。
上ガイドレール２２４は、レールロック機構２２８によって適宜な位置に固定される。  
【０１０９】
上レール装置２２０の上・奥ガイドレール２３０は、レールブラケット２２２の奥側に付設されている。
上・奥ガイドレール２３０は、スライド扉２０４の上扉支持体２１６を構成する支持腕２１６ａの上部に回転自在に固定されたローラ２１６ｂを移動自在に支持するように固定されている。
【０１１０】
下レール装置２４０は、前記上横材と平行に設けられた下横材の上面に敷設されている。
下レール装置２４０は、引きスライド扉２０２を案内する下・前ガイドレール２４２とスライド扉２０４を案内する下・奥ガイドレール２４４とを備える。
下・前ガイトレール２４２は、下・奥ガイドレール２４４とほぼ平行に主路２４８ａ及び主路２４８ｂが設けられ、下・前ガイドレール２４２は、下・奥ガイドレール２４４の中央付近と、下・奥ガイドレール２４４の左端近傍とにおいて、下・奥ガイドレール２４４に向けて傾斜し接近する転換路２４６ａおよび転換路２４６ｂが設けられている。
転換路２４６ａ及び転換路２４６ｂは、主路２４８ａ及び主路２４８ｂと約６０度の角度をなして斜め方向において奥側または前側に向けて引きスライド扉２０２を案内するように、引きスライド扉２０２の幅よりやや狭い間隔をおいて、左右に分離して形成されている。
【０１１１】
下レール装置２４０の下・前ガイドレール２４２及び下・奥ガイドレール２４４は、引きスライド扉２０２の下扉支持体２１４及びスライド扉２０４の下扉支持体２１８を軌道に沿って案内するように、下扉支持体２１４の下面に突設された振止具２１４ａ及び下扉支持体２１８の下面に突設された振止具２１８ａを挟んで脱輪を防ぐために、レール溝２４２ａ及びレール溝２４４ａの開口縁に突縁２４２ｂ及び突縁２４４ｂが形成されている。
【図面の簡単な説明】
【０１１２】
【図１】この発明の一実施の形態である引き違い戸装置の正面図解図である。
【図２】この発明の一実施の形態である引き違い戸装置の平面図解図である。
【図３】この発明の一実施の形態である引き違い戸の閉止状態における断面図解図である。
【図４】この発明の一実施の形態である引き違い戸（引きスライド扉）の閉止状態における断面図解図である。
【図５】この発明の一実施の形態である引き違い戸（スライド扉）の閉止状態における断面図解図である。
【図６】この発明の一実施の形態である戸を構成する芯材及び表面材の製造工程を示す断面図解図である。
【図７】この発明の一実施の形態である戸を構成する芯材及び表面材の製造工程を示す断面図解図である。
【図８】この発明の一実施の形態である戸を構成する芯材及び表面材の製造工程を示す断面図解図である。
【図９】この発明の一実施の形態である戸を構成する芯材及び表面材の製造工程を示す断面図解図である。
【図１０】この発明の一実施の形態である戸を構成する芯材を示す図解図である。
【図１１】この発明の一実施の形態である引き違い戸の断面図解図である。
【図１２】この発明の一実施の形態である引き違い戸（引きスライド扉）の断面図解図である。
【図１３】この発明の一実施の形態である引き違い戸（スライド扉）の断面図解図である。
【図１４】この発明の一実施の形態である戸を構成する芯材及び表面材の製造工程を示す図解図である。
【図１５】この発明の一実施の形態である戸を構成する芯材及び表面材の製造工程を示す図解図である。
【図１６】この発明の一実施の形態である戸を構成する芯材及び表面材の製造工程を示す図解図である。
【図１７】この発明の一実施の形態である戸を構成する芯材及び表面材の製造工程を示す図解図である。
【図１８】この発明の一実施の形態である戸を構成する芯材を示す図解図である。
【図１９】この発明の一実施の形態である引き違い戸の断面図解図である。
【図２０】この発明の一実施の形態である引き違い戸（引きスライド扉）の断面図解図である。
【図２１】この発明の一実施の形態である引き違い戸（スライド扉）の断面図解図である。
【図２２】この発明の一実施の形態である戸を構成する芯材及び表面材の製造工程を示す図解図である。
【図２３】この発明の一実施の形態である戸を構成する芯材及び表面材の製造工程を示す図解図である。
【図２４】この発明の一実施の形態である戸を構成する芯材及び表面材の製造工程を示す図解図である。
【図２５】この発明の一実施の形態である戸を構成する芯材及び表面材の製造工程を示す図解図である。
【図２６】この発明の一実施の形態である戸を構成する芯材を示す図解図である。
【図２７】図１９図示実施の形態である引き違い戸の変形側の断面図解図である。
【図２８】図２７図示引き違い戸（引きスライド扉）の断面図解図である。
【図２９】図２７図示引き違い戸の断面図解図である。
【図３０】図１図示戸の閉めた状態の平面図解図である。
【図３１】図１図示引き違い戸の引き状態の平面図解図である。
【図３２】図１図示引き違い戸の下レールの平面図解図である。
【図３３】引きスライド扉の上扉支持体の図解図である。
【図３４】スライド扉の上扉支持体の図解図である。
【図３５】閉める状態の断面図解図である。
【図３６】引き状態の断面図解図である。
【図３７】閉める状態の上扉支持体の断面図解図である。
【図３８】引き状態の上扉支持体の断面図解図である。
【図３９】上レール装置の平断面図解図である。
【図４０】閉める状態の下扉支持体の断面図解図である。
【図４１】引き状態の下扉支持体の断面図解図である。
【符号の説明】
【０１１３】
１０，３１０，６１０  引き違い戸
１２，３１２，６１２  引き違い戸（引きスライド扉２０２，５０２，８０２）
１４，３１４，６１４  戸先部
１６，３１６，６１６  段差部
１８，３１８，６１８  表側面
２０，３２０，６２０  裏側面
２２，３２２，６２２  第１凸部
２２ａ，３２２ａ，６２２ａ  第１面
２４，３２４，６２４  第２凸部
２４ａ，３２４ａ，６２４ａ  第２面
２６，３２６，６２６  第３凸部
２８，３２８，６２８  第１凹部
２８ａ，３２８ａ，６２８ａ  第３面
３２，３３２，６３２  引き違い戸（スライド扉２０４，５０４，８０４）
３４，３３４，６３４  戸先部
３６，３３６，６３６  段差部
３８，３３８，６３８  表側面
４０，３４０，６４０  裏側面
４２，３４２，６４２  第１凸部
４２ａ，３４２ａ，６４２ａ  第１面
４４，３４４，６４４  第２凸部
４４ａ，３４４ａ，６４４ａ  第２面
４６，３４６，６４６  第３凸部
４８，３４８，６４８  第１凹部
４８ａ，３４８ａ，６４８ａ  第３面
５０，３５０，６５０  芯材
５２，３５２，６５２  表面材
５４，３５４，６５４  戸先側芯材
５４ａ，３５４ａ，６５４ａ  表側面
５４ｂ，３５４ｂ，６５４ｂ  裏側面
５４ｃ，３５４ｃ，６５４ｃ  段差部
５４ｄ，３５４ｄ，６５４ｄ  第１角部
５４ｄ1，３５４ｄ1，６５４ｄ1  第１貼着面
５４ｅ，３５４ｅ，６５４ｅ  第２角部
５４ｅ1，３５４ｅ1，６５４ｅ1  第２貼着面
５４ｆ，３５４ｆ，６５４ｆ  第３角部
５４ｇ，３５４ｇ，６５４ｇ  第１凹部
５４ｇ1，３５４ｇ1，６５４ｇ1  第３貼着面
５６，３５６，６５６  後端側芯材
５６ｂ，３５６ｂ，６５６ｂ  表側面
５６ｃ，３５６ｃ，６５６ｃ  裏側面
５６ｄ，３５６ｄ，６５６ｄ  稜角面部
５６ｅ，５６ｆ，３５６ｅ，３５６ｆ，６５６ｅ，６５６ｆ  角部
５８，３５８，６５８  架設体
６０，３６０，６６０  表面シート
６２，３６２，６６２  第１表面板材
６２ａ，３６２ａ，６６２ａ  貼着面
６２ｂ，３６２ｂ，６６２ｂ  斜め対向面
６２ｃ，３６２ｃ，６６２ｃ  斜め対向面
６４，３６４，６６４  第２表面板材
６４ａ，３６４ａ，６６４ａ    貼着面
６４ｂ，３６４ｂ，６６４ｂ  斜め対向面
６４ｃ，３６４ｃ，６６４ｃ  斜め対向面
６６，３６６，６６６  第３表面板材
６６ａ，３６６ａ，６６６ａ  貼着面
６６ｂ，３６６ｂ，６６６ｂ  斜め対向面
６６ｃ，３６６ｃ，６６６ｃ  斜め対向面
６８，３６８，６６８  第４表面板材
６８ａ，３６８ａ，６６８ａ  貼着面
６８ｂ，３６８ｂ，６６８ｂ  斜め対向面
６８ｃ，３６８ｃ，６６８ｃ  斜め対向面
７０，３７０，６７０  第５表面板材
７０ａ，３７０ａ，６７０ａ  貼着面
７０ｂ，３７０ｂ，６７０ｂ  対向面
７０ｃ，３７０ｃ，６７０ｃ  斜め対向面
７２，３７２，６７２  第６表面板材
７２ａ，３７２ａ，６７２ａ  貼着面
７２ｂ，３７２ｂ，６７２ｂ  斜め対向面
７２ｃ，３７２ｃ，６７２ｃ  斜め対向面
７４，３７４，６７４  第７表面板材
７４ａ，３７４ａ，６７４ａ  貼着面
７４ｂ，３７４ｂ，６７４ｂ  斜め対向面
７４ｃ，３７４ｃ，６７４ｃ  対向面
７６，３７６，６７６  第８表面板材
７６ａ，３７６ａ，６７６ａ  貼着面
７６ｂ，３７６ｂ，６７６ｂ  対向面
７６ｃ，３７６ｃ，６７６ｃ  対向面
８０，３８０，６８０  表面板材素材
１５０，４５０，７５０  芯材
１５２，４５２，７５２  表面材
１５４，４５４，７５４  戸先側芯材
１５４ａ，４５４ａ，７５４ａ  裏側面
１５４ｂ，４５４ｂ，７５４ｂ  表側面
１５４ｃ，４５４ｃ，７５４ｃ  段差部
１５４ｄ，４５４ｄ，７５４ｄ  第１角部
１５４ｄ1，４５４ｄ1，７５４ｄ1  第１貼着面
１５４ｅ，４５４ｅ，７５４ｅ  第２角部
１５４ｅ1，４５４ｅ1，７５４ｅ1  第２貼着面
１５４ｆ，４５４ｆ，７５４ｆ  第３角部
１５４ｇ，４５４ｇ，７５４ｇ  第１凹部
１５４ｇ1，４５４ｇ1  第３貼着面
１５６，４５６，７５６  後端側芯材
１５６ｂ，４５６ｂ，７５６ｂ  裏側面
１５６ｃ，４５６ｃ，７５６ｃ  表側面
１５６ｄ，４５６ｄ，７５６ｄ  稜角面部
１５６ｅ，１５６ｆ，４５６ｅ，４５６ｆ，７５６ｅ，７５６ｆ  角部
１５８，４５８，７５８  架設体
１６０，４６０，７６０  表面シート
１６２，４６２，７６２  第１表面板材
１６２ａ，４６２ａ，７６２ａ  貼着面
１６２ｂ，４６２ｂ，７６２ｂ  斜め対向面
１６２ｃ，４６２ｃ，７６２ｃ  斜め対向面
１６４，４６４，７６４  第２表面板材
１６４ａ，４６４ａ，７６４ａ  貼着面
１６４ｂ，４６４ｂ，７６４ｂ  斜め対向面
１６４ｃ，４６４ｃ，７６４ｃ  斜め対向面
１６６，４６６，７６６  第３表面板材
１６６ａ，４６６ａ，７６６ａ  貼着面
１６６ｂ，４６６ｂ，７６６ｂ  斜め対向面
１６６ｃ，４６６ｃ，７６６ｃ  斜め対向面
１６８，４６８，７６８  第４表面板材
１６８ａ，４６８ａ，７６８ａ  貼着面
１６８ｂ，４６８ｂ，７６８ｂ  斜め対向面
１６８ｃ，４６８ｃ，７６８ｃ  斜め対向面
１７０，４７０，７７０  第５表面板材
１７０ａ，４７０ａ，７７０ａ  貼着面
１７０ｂ，４７０ｂ，７７０ｂ  斜め対向面
１７０ｃ，４７０ｃ，７７０ｃ  斜め対向面
１７２，４７２，７７２  第６表面板材
１７２ａ，４７２ａ，７７２ａ  貼着面
１７２ｂ，４７２ｂ，７７２ｂ  斜め対向面
１７２ｃ，４７２ｃ，７７２ｃ  対向面
１７４，４７４，７７４  第７表面板材
１７４ａ，４７４ａ，７７４ａ  貼着面
１７４ｂ，４７４ｂ，７７４ｂ  対向面
１７４ｃ，４７４ｃ，７７４ｃ  対向面
２０２，５０２，８０２  引きスライド扉
１７６，４７６  第８表面板材
１７６ｂ，４７６ｂ  対向面
１７６ｃ，４７６ｃ  対向面
２１２  上扉支持体
２１２ａ  支持腕
２１２ｂ  ローラ
２１２ｃ  案内体
２１４  下扉支持体
２１４ａ  振止具
２０４，５０４，８０４  スライド扉
２１６  上扉支持体
２１６ａ  支持腕
２１６ｂ  ローラ
２１８  下扉支持体
２１８ａ  振止具
２２０  上レール装置
２２２  レールブラケット
２２４  上・前ガイドレール
２２６  上ガイドレール支持体
２２８  レールロック機構
２３０  上・奥ガイドレール
２３２  案内ブロック
２３２ａ  ガイド溝
２３２ｂ  枢軸
２４０  下レール装置
２４２  下・前ガイドレール
２４２ａ  レール溝
２４４ａ  レール溝
２４２ｂ  突縁
２４４ｂ  突縁
２４４  下・奥ガイドレール
２４６ａ，２４６ｂ  転換路
２４８ａ，２４８ｂ  主路
６９０  召合せ棒（かまち）
【図１】
2008031660.tif 000003
【図２】
2008031660.tif 000004
【図３】
2008031660.tif 000005
【図４】
2008031660.tif 000006
【図５】
2008031660.tif 000007
【図６】
2008031660.tif 000008
【図７】
2008031660.tif 000009
【図８】
2008031660.tif 000010
【図９】
2008031660.tif 000011
【図１０】
2008031660.tif 000012
【図１１】
2008031660.tif 000013
【図１２】
2008031660.tif 000014
【図１３】
2008031660.tif 000015
【図１４】
2008031660.tif 000016
【図１５】
2008031660.tif 000017
【図１６】
2008031660.tif 000018
【図１７】
2008031660.tif 000019
【図１８】
2008031660.tif 000020
【図１９】
2008031660.tif 000021
【図２０】
2008031660.tif 000022
【図２１】
2008031660.tif 000023
【図２２】
2008031660.tif 000024
【図２３】
2008031660.tif 000025
【図２４】
2008031660.tif 000026
【図２５】
2008031660.tif 000027
【図２６】
2008031660.tif 000028
【図２７】
2008031660.tif 000029
【図２８】
2008031660.tif 000030
【図２９】
2008031660.tif 000031
【図３０】
2008031660.tif 000032
【図３１】
2008031660.tif 000033
【図３２】
2008031660.tif 000034
【図３３】
2008031660.tif 000035
【図３４】
2008031660.tif 000036
【図３５】
2008031660.tif 000037
【図３６】
2008031660.tif 000038
【図３７】
2008031660.tif 000039
【図３８】
2008031660.tif 000040
【図３９】
2008031660.tif 000041
【図４０】
2008031660.tif 000042
【図４１】
2008031660.tif 000043